(57)【特許請求の範囲】
【請求項１】
１又は複数の遊技機が設置されて形成される遊技機島で前記遊技機に供給するための遊技媒体を一時貯留可能な貯留タンクであって、
外部から流入した前記遊技媒体を一時貯留する貯留部と、外部に前記遊技媒体を流出させる流出口を備えた搬送路接続部とを有し、
前記搬送路接続部は、前記遊技媒体を搬送する搬送路を形成するための外部部材を連結可能に形成されており、前記外部部材を連結することで、前記流出口から前記外部部材に前記遊技媒体を流出可能となるものであり、
前記貯留部と前記搬送路接続部の少なくとも一方は、一の箱状体によって形成される、又は複数の前記箱状体を上下方向に積み重ねた状態で一体的に連結して形成されるものであり、
前記貯留部及び／又は前記搬送路接続部を構成する前記箱状体の数を可変させることで、前記貯留部の最大貯留量及び／又は前記搬送路接続部の前記流出口の高さを変更可能であり、
前記箱状体は、上側に内外を連通する開口部分を有し、内部に周囲を側壁部によって囲まれた内部空間を備えた第１箱状体と、
上側に内外を連通する開口部分を有し、内部に周囲を側壁部によって囲まれた内部空間を備え、前記側壁部の一部に前記流出口を形成した第２箱状体を含む複数の異なる構造の箱状体から選択されるものであり、
前記搬送路接続部は、二以上の前記第２箱状体を含む複数の前記箱状体を上下方向に積み重ねた状態で一体的に連結して形成されるものであり、
一の前記第２箱状体と、他の一の前記第２箱状体は、前記流出口の開口向きが異なる方向となる姿勢で配置されていることを特徴とする貯留タンク。
【請求項２】
前記箱状体は、上側に内外を連通する開口部分を有し、内部に周囲を側壁部によって囲まれた内部空間を備えており、
前記貯留部及び／又は前記搬送路接続部は、前記遊技媒体が上側部分から内部に流入するものであって、
前記貯留部及び／又は前記搬送路接続部を構成する前記箱状体の少なくとも１つには、前記側壁部の内側面から前記内部空間に向かって突出する板状の速度調整板が設けられていることを特徴とする請求項１に記載の貯留タンク。
【請求項３】
前記貯留部及び／又は前記搬送路接続部は、複数の前記箱状体を上下方向に積み重ねた状態で一体的に連結して形成されるものであり、
上下方向の異なる位置に配された２以上の前記箱状体に前記速度調整板が設けられており、
２以上の前記箱状体は、それぞれの前記速度調整板の突出方向の向きが異なる方向となる姿勢で配置されていることを特徴とする請求項２に記載の貯留タンク。
【請求項４】
前記遊技機島の上部に揚送された前記遊技媒体を一時貯留する上部タンクであって、
外箱部を有しており、
前記貯留部及び前記搬送路接続部は、上下方向に積み重ねた状態で一体的に連結して形成されており、前記外箱部の内部に前記貯留部の少なくとも一部が位置し、前記外箱部の下方に前記搬送路接続部の少なくとも一部が位置するものであって、
前記外箱部の内側面と前記貯留部の間には、前記貯留部から溢れた前記遊技媒体が流入する溢出媒体貯留空間が形成されていることを特徴とする請求項１乃至３のいずれかに記載の貯留タンク。
【請求項５】
請求項１乃至４のいずれかに記載の貯留タンクを備え、建屋内に設置される遊技機島であって、
前記遊技機が設置されることで外側に位置する側面の一部が形成される小島部を複数有しており、それぞれの前記小島部には、前記遊技機に供給する前記遊技媒体を搬送する供給用搬送路が設けられ、
一の前記小島部と他の前記小島部との間で前記遊技媒体を搬送する小島間搬送路をさらに備え、
一の前記小島部に前記貯留タンクが設けられており、
前記搬送路接続部は、複数の前記流出口を備えており、少なくとも一の前記流出口に前記供給用搬送路が連結され、他の少なくとも一の前記流出口に前記小島間搬送路が連結されており、
一の前記小島部と他の前記小島部が離間して配置され、一の前記小島部と他の前記小島部の間に形成された空間に前記小島間搬送路と前記建屋に付属する構造物とが位置することを特徴とする遊技機島。
【発明の詳細な説明】
【技術分野】
【０００１】
本発明は、ぱちんこ機等の遊技機を配置する遊技機島の内部において遊技球を一時的に貯留可能な貯留タンクに関する。また、そのような貯留タンクを内蔵した遊技機島に関する。
【背景技術】
【０００２】
ぱちんこ機やスロット機等の遊技機が設置されている遊技場では、一般的に、複数の遊技機を列状に並設するための遊技機島が設けられている。そして、このような遊技機島では、その内部に遊技球（ぱちんこ球）が循環する循環流路を形成するものがあり、この循環流路の一部に遊技球を一時的に貯留可能な貯留タンクを設けたものがある。
【０００３】
このような循環流路を備えた遊技機島として、例えば、特許文献１に開示されたものがある。
特許文献１に開示された遊技機島は、遊技機の上側に配された島上タンクと、遊技機の上側で遊技機の並び方向に沿って延びる補給レールと、遊技機の下側で遊技機の並び方向に沿って延びるアウトレールと、遊技球を研磨するための研磨装置と、下側から上側へ向かって遊技球を搬送するための揚送装置及び揚送流路を備えた構造となっている。
【０００４】
そして、特許文献１に開示された遊技機島では、補給レールから各遊技機に遊技球が供給され、各遊技機から排出された遊技球をアウトレールに流入させている。このとき、アウトレールを流れた遊技球は、アウトレールの下流端と連続する研磨装置へと至り、研磨装置によって研磨された後、揚送装置によって揚送流路を介して上側へ搬送され、島上タンクへと流入する。そして、島上タンクに一時的に貯留された遊技球が補給レールへ供給されることとなる。
つまり、遊技球は、島上タンク、遊技機、研磨装置、揚送装置を通過しつつ、循環流路を流れ、遊技機島の内部で循環することとなる。そして、島上タンクが、遊技球を一時的に貯留するための貯留タンクとして機能するものとなっている。
【０００５】
この循環流路において、水平方向に遊技球を搬送する搬送路を形成する補給レールやアウトレールは、下流側に向かって下り勾配となるように、傾斜した姿勢で配されている。そして、これら補給レールやアウトレールに流入した遊技球は、自重によって下流側に転がっていくこととなる。
【先行技術文献】
【特許文献】
【０００６】
【特許文献１】特開２０１３−１３５７６９号公報
【発明の概要】
【発明が解決しようとする課題】
【０００７】
ところで近年、遊技場は様々な場所に造設されており、遊技場そのものの建築構造や、場内の広さがそれぞれ異なるものとなっている。このため、遊技機島を設置するフロアの延床面積や、この延床面積のうちで遊技機島を設置可能な領域の面積が占める割合等もまた、遊技場毎に異なるものとなっている。このため、遊技場内に構築する遊技機島の大きさもまた、遊技場毎に異なる場合がある。さらにいえば、同じ遊技場のフロア内においても、フロア内の設置位置毎に遊技機島の大きさが異なるものとなる場合がある。
【０００８】
ここで、並列する遊技機の数を増加させて遊技機島を大きくした場合、通常は、内部の循環流路を流れる遊技球の量もまた多くなる。そのため、循環流路の途中で遊技球を一時的に貯留するための貯留タンクもまた、その最大貯留量を増やすため、大きく形成する必要がある。すなわち、遊技機島の大きさに応じて貯留タンクの大きさを可変させる必要がある。
しかしながら、構築する遊技機島毎に異なる大きさの貯留タンクを製造すると、貯留タンクの大量生産が不可能となり、製造コストの増加につながるため、好ましくない。
【０００９】
また、上記したように、貯留タンク（島上タンク）には、水平方向に遊技球を搬送するためのレール部材（補給レールやアウトレール）が接続されることがある。これらのレール部材は、流入した遊技球が自重で転がることで下流側に流れていく構造となっており、傾斜した姿勢で取り付けられているが、適切な傾斜角度もまた、遊技機島の大きさによって異なることとなる。
【００１０】
すなわち、レール部材の設置時における傾斜角度を急にした場合、遊技球を安定して流動させるという観点から好ましいが、その反面、設置領域を確保するとき、高さ方向に広い領域を確保する必要が生じてしまう。
反対に、レール部材の設置時における傾斜角度を緩やかにすると、高さ方向に広い領域を確保することなく設置可能であるものの、遊技球を安定して流動させるという観点から支障が生じる可能性がある。
以上のことから、レール部材の設置時における傾斜角度は、遊技球が下流端まで安定して流れる角度であり、且つ、急すぎない角度に設定される。
【００１１】
ここで、仮に並列する遊技機の数を増加させて遊技機島を大きくした場合、遊技機島は遊技機の並列方向で長くなる。このとき、補給レールやアウトレールのようなレール部材もまた、搬送路の長さ（以下、流路長とも称す）を長くする必要がある。しかしながら、レール部材の流路長を長くしたにもかかわらず、傾斜角度が小さいままであると、遊技球が下流端まで安定して流れない可能性がある。
【００１２】
そこで、遊技機島を大きくして、レール部材の流路長を長くした場合、それに伴って、レール部材の傾斜角度を急にする必要がある。そして、レール部材の傾斜角度を急にする場合、レール部材の上流端が連結される貯留タンクの連結部の位置をより上方に形成する必要がある。すなわち、貯留タンクの内部からレール部材に遊技球を供給するための開口等の位置をより上方に形成する必要がある。
【００１３】
つまり、遊技機島の大きさに応じて、レール部材の流路長が可変し、このレール部材の流路長に応じてレール部材の設置時における傾斜角度を可変させる必要がある。すなわち、遊技機島の大きさに応じて、貯留タンクにおけるレール部材の連結部の位置を高さ方向で可変させる必要がある。
【００１４】
しかしながら、構築する遊技機島毎にレール部材の連結口の配置高さが異なる貯留タンクを製造する場合もまた、貯留タンクの大量生産が不可能となり、製造コストの増加につながるため、好ましくない。
【００１５】
さらにまた、遊技場において、遊技機島を設置するフロアの構造が異なることから、例えば、遊技機島を設置するフロアでは、フロア内の様々な場所に遊技場の柱等が位置する場合がある。言い換えると、フロア内の色々な場所に移動させることのできない遊技場の構造物が位置する場合がある。
このような構造物の周辺の領域は、通常、遊技機島の設置には利用できないものの、フロア内の空間を有効活用するという観点から、このような領域に構築可能な遊技機島が望まれていた。つまり、遊技場の構造物の周辺の領域に構築可能な新たな構造の遊技機島が望まれていた。
【００１６】
そこで、本発明では、上記した従来技術の問題に鑑み、設置位置及びその形状や大きさがそれぞれ異なる多様な遊技機島で使用可能であり、安価に製造可能な貯留タンクを提供することを課題とする。また、このような貯留タンクを内蔵して構築される遊技機島を提供することを課題とする。
【課題を解決するための手段】
【００１７】
上記課題を解決するための請求項１に記載の発明は、１又は複数の遊技機が設置されて形成される遊技機島で前記遊技機に供給するための遊技媒体を一時貯留可能な貯留タンクであって、外部から流入した前記遊技媒体を一時貯留する貯留部と、外部に前記遊技媒体を流出させる流出口を備えた搬送路接続部とを有し、前記搬送路接続部は、前記遊技媒体を搬送する搬送路を形成するための外部部材を連結可能に形成されており、前記外部部材を連結することで、前記流出口から前記外部部材に前記遊技媒体を流出可能となるものであり、前記貯留部と前記搬送路接続部の少なくとも一方は、一の箱状体によって形成される、又は複数の前記箱状体を上下方向に積み重ねた状態で一体的に連結して形成されるものであり、前記貯留部及び／又は前記搬送路接続部を構成する前記箱状体の数を可変させることで、前記貯留部の最大貯留量及び／又は前記搬送路接続部の前記流出口の高さを変更可能であり、前記箱状体は、上側に内外を連通する開口部分を有し、内部に周囲を側壁部によって囲まれた内部空間を備えた第１箱状体と、上側に内外を連通する開口部分を有し、内部に周囲を側壁部によって囲まれた内部空間を備え、前記側壁部の一部に前記流出口を形成した第２箱状体を含む複数の異なる構造の箱状体から選択されるものであり、前記搬送路接続部は、二以上の前記第２箱状体を含む複数の前記箱状体を上下方向に積み重ねた状態で一体的に連結して形成されるものであり、一の前記第２箱状体と、他の一の前記第２箱状体は、前記流出口の開口向きが異なる方向となる姿勢で配置されていることを特徴とする貯留タンクである。
【００１８】
本発明の貯留タンクは、貯留部及び／又は搬送路接続部を構成する箱状体の数を可変させ、貯留部の最大貯留量及び／又は搬送路接続部の流出口の高さを変更可能であるので、様々な大きさの遊技機島で使用可能となる。
【００１９】
本発明の貯留タンクは、前記箱状体は、上側に内外を連通する開口部分を有し、内部に周囲を側壁部によって囲まれた内部空間を備えた第１箱状体と、上側に内外を連通する開口部分を有し、内部に周囲を側壁部によって囲まれた内部空間を備え、前記側壁部の一部に前記流出口を形成した第２箱状体を含む複数の異なる構造の箱状体から選択されるものである。
【００２０】
かかる構成によると、貯留部と搬送路接続部を同一の箱状体によって形成できるので、さらなる製造費用削減効果がある。
【００２１】
本発明の貯留タンクは、前記搬送路接続部は、二以上の前記第２箱状体を含む複数の前記箱状体を上下方向に積み重ねた状態で一体的に連結して形成されるものであり、一の前記第２箱状体と、他の一の前記第２箱状体は、前記流出口の開口向きが異なる方向となる姿勢で配置されている。
【００２２】
本発明の貯留タンクは、搬送路接続部の流出口の高さだけでなく、開口向きもまた、容易に変更可能となる。このことから、貯留タンクを遊技機島の長手方向における中央部分に設置した遊技機島や、貯留タンクを遊技機島の長手方向における端部側に設置した遊技機島等、さまざまな形状の遊技機島で採用することができる。
【００２３】
請求項２に記載の発明は、前記箱状体は、上側に内外を連通する開口部分を有し、内部に周囲を側壁部によって囲まれた内部空間を備えており、前記貯留部及び／又は前記搬送路接続部は、前記遊技媒体が上側部分から内部に流入するものであって、前記貯留部及び／又は前記搬送路接続部を構成する前記箱状体の少なくとも１つには、前記側壁部の内側面から前記内部空間に向かって突出する板状の速度調整板が設けられていることを特徴とする請求項１に記載の貯留タンクである。
【００２４】
ここで、多数の箱状体を積み重ねて貯留部や搬送路接続部を形成すると、遊技媒体が流入する上側部分から最も下側の部分までの距離が長くなる。そして、上側から勢いよく落下した遊技媒体が、下方側で貯留部や搬送路接続部の内側面に衝突したり、他の遊技球と衝突したりすると、これらが破損してしまう可能性がある。
そこで、かかる構成の貯留タンクでは、貯留部や搬送路接続部の内部空間に向かって突出する速度調整板を設け、この速度制限板に落下中の遊技媒体を衝突させる構造としている。このことから、落下する遊技媒体が、速度制限板に衝突し、速度制限板の上からさらに下方に落下することとなる。このように、速度制限板の上に一旦落下させた後、そこからさらに落下させる構造とすると、下方側における遊技媒体の落下速度を緩やかにすることができる。このことにより、貯留部や搬送路接続部の内側面や遊技球の破損を防止できる。
【００２５】
請求項３に記載の発明は、前記貯留部及び／又は前記搬送路接続部は、複数の前記箱状体を上下方向に積み重ねた状態で一体的に連結して形成されるものであり、上下方向の異なる位置に配された２以上の前記箱状体に前記速度調整板が設けられており、２以上の前記箱状体は、それぞれの前記速度調整板の突出方向の向きが異なる方向となる姿勢で配置されていることを特徴とする請求項２に記載の貯留タンクである。
【００２６】
かかる構成によると、より確実に落下中の遊技媒体を速度制限板に衝突させることができる。
【００２７】
請求項４に記載の発明は、前記遊技機島の上部に揚送された前記遊技媒体を一時貯留する上部タンクであって、外箱部を有しており、前記貯留部及び前記搬送路接続部は、上下方向に積み重ねた状態で一体的に連結して形成されており、前記外箱部の内部に前記貯留部の少なくとも一部が位置し、前記外箱部の下方に前記搬送路接続部の少なくとも一部が位置するものであって、前記外箱部の内側面と前記貯留部の間には、前記貯留部から溢れた前記遊技媒体が流入する溢出媒体貯留空間が形成されていることを特徴とする請求項１乃至３のいずれかに記載の貯留タンクである。
【００２８】
本発明の貯留タンクは、かかる構造であることが好ましい。
【００２９】
請求項５に記載の発明は、請求項１乃至４のいずれかに記載の貯留タンクを備え、建屋内に設置される遊技機島であって、前記遊技機が設置されることで外側に位置する側面の一部が形成される小島部を複数有しており、それぞれの前記小島部には、前記遊技機に供給する前記遊技媒体を搬送する供給用搬送路が設けられ、一の前記小島部と他の前記小島部との間で前記遊技媒体を搬送する小島間搬送路をさらに備え、一の前記小島部に前記貯留タンクが設けられており、前記搬送路接続部は、複数の前記流出口を備えており、少なくとも一の前記流出口に前記供給用搬送路が連結され、他の少なくとも一の前記流出口に前記小島間搬送路が連結されており、一の前記小島部と他の前記小島部が離間して配置され、一の前記小島部と他の前記小島部の間に形成された空間に前記小島間搬送路と前記建屋に付属する構造物とが位置することを特徴とする遊技機島である。
【００３０】
本発明の遊技機島は、貯留タンク等の部材を増やしたりすることなく、他の場所に移動できない構造物、すなわち、床に起立固定された建屋の柱のような構造物の周辺においても構築可能となっている。
【発明の効果】
【００３１】
本発明によると、設置位置及びその形状や大きさがそれぞれ異なる多様な遊技機島で使用可能であり、安価に製造可能な貯留タンクを提供可能である。また、遊技場の構造物の周辺に構築可能な遊技機島を提供できる。
【図面の簡単な説明】
【００３２】
【図１】本発明の第１実施形態に係る遊技機島を示す斜視図である。
【図２】図１の遊技機島の内部構造を示す説明図である。
【図３】図２の揚送装置と、揚送装置に連結された揚送流路を示す斜視図である。
【図４】図２で示される島上タンクのタンク本体を示す斜視図であり、揚送流路が連結された状態を示す。
【図５】図２で示される島上タンク及び島上タンクに連結された流路を示す説明図である。
【図６】図４で示されるタンク本体を示す図であり、（ａ）は流路固定部材を省略し、内部を透過して示す斜視図であり、（ｂ）は（ａ）の平面図である。
【図７】図６で示される第１無底箱部材を示す図であり、（ａ）は内部を透過して示す斜視図であり、（ｂ）は断面図であり、（ｃ）は平面図である。
【図８】図６で示される第２無底箱部材を示す図であり、（ａ）は内部を透過して示す斜視図であり、（ｂ）は断面図であり、（ｃ）は平面図である。
【図９】図６で示される内部貯留部を示す図であり、（ａ）は内部を透過して示す斜視図であり、（ｂ）は断面図である。
【図１０】図６で示されるタンク外流路接続部を示す図であり、（ａ）は内部を透過して示す斜視図であり、（ｂ）は断面図である。
【図１１】図４で示されるタンク本体に遊技球が流入する様子を示す図であり、（ａ）は断面図であり、（ｂ）は一部を透過して示す斜視図である。
【図１２】図１１に続いてタンク本体に遊技球が流入していく様子を示す断面図である。
【図１３】図１２に続いてタンク本体に遊技球が流入していく様子を示す断面図である。
【図１４】図１３に続いてタンク本体に遊技球が流入していく様子を示す断面図である。
【図１５】図１４に続いてタンク本体に遊技球が流入していく様子を示す断面図である。
【図１６】図１とは異なる形態の遊技機島を示す説明図である。
【図１７】図６とは異なる形態のタンク本体を示す図であり、（ａ）、（ｂ）はそれぞれ異なる形態のタンク本体を示す平面図である。
【図１８】図７、図８とは異なる無底箱部材である第３無底箱部材を示す図であり、（ａ）は内部を透過して示す斜視図であり、（ｂ）は断面図である。
【図１９】図１０とは異なる形態のタンク外流路接続部を示す図であり、（ａ）は内部を透過して示す斜視図であり、（ｂ）は断面図である。
【図２０】本発明の第２実施形態に係る遊技機島を示す斜視図である。
【図２１】図２０で示される第１小島部の内部構造を示す説明図である。
【図２２】図２０で示される第２小島部の内部構造を示す説明図である。
【図２３】図２０で示される遊技機島のＡ−Ａ断面図である。
【図２４】図２２で示される上側貯留箱を示す図であり、（ａ）は内部を透過して示す斜視図であり、（ｂ）は断面図である。
【図２５】図２２で示される下側貯留箱を示す図であり、（ａ）は内部を透過して示す斜視図であり、（ｂ）は断面図である。
【発明を実施するための形態】
【００３３】
以下に、本発明の各実施形態について詳細に説明するが、本発明はこれらの例に限定されるものではない。また、以下の説明において、上下左右の位置関係については特に断りのない限り通常の設置状態を基準として説明する。
【００３４】
本発明の第１実施形態に係る遊技機島１は、図１で示されるように、支柱や梁となる骨格部材（図示しない）に対し、天板６、妻板７、幕板８、ランプ板９、台間板１０、膳板１１、腰板１２、幅木１３等の外壁面を形成する板状部材を取り付けて形成されている。この遊技機島１は、外形が略直方体状となる箱型構造物であり、短手方向における側面部分に、複数の遊技機２が並列配置された状態となっている。
【００３５】
この遊技機島１の短手方向における側面部分には、遊技機２や遊技媒体貸出機３を配するための遊技機取付部４が設けられている。遊技機取付部４は、遊技機島１の高さ方向の略中央となる位置に形成される空間であり、遊技機島１の内外を連通している。この遊技機取付部４には、遊技機２と遊技媒体貸出機３からなる組を遊技機島１の長手方向に沿うように並列配置している。つまり、遊技機２と、これに対として設けられる遊技媒体貸出機３を１組の機器群とすると、この機器群が遊技機島１の長手方向で並列するように取付けられている。
なお、図１、図２における遊技機２、遊技媒体貸出機３、遊技機取付部４の符号は、一部にのみ符号を付し、他への符号を省略している。
【００３６】
より具体的には、この遊技機島１には機器群の列が２つ設けられており、その一方が、遊技機島１の短手方向で対向する２つの側面部分のうち、片側部分に形成されている。そして、機器群の列のうちのもう一方（図示しない）が、２つの側面部分のうちの他方側部分に形成されている。つまり、２つの機器群の列が背中合わせに配置されており、一方の機器群の列から遊技機島１の短手方向で離間した位置に、他方の機器群の列が位置している。このことから、一方の機器群の列に属するそれぞれの遊技機２から遊技機島１の短手方向に離れた位置には、他方の機器群に属するそれぞれの遊技機２（図示しない）が位置した状態となっており、遊技機島１の短手方向で離れた２つの遊技機２の背面間は隔離した状態となっている。
【００３７】
言い換えると、本実施形態の遊技機島１では、２つの遊技機２を背面同士が離間対向するように背中合わせに配しており、この対となる２つの遊技機２を水平方向に並べていくことで、２列の遊技機２の列を形成している。さらに、水平方向で並ぶ遊技機２のそれぞれの側方であり、並列方向の側方に隣接する位置に遊技媒体貸出機３を配した状態としている。
【００３８】
遊技機２は、所謂ぱちんこ機（弾球遊技機）であり、遊技球（ぱちんこ球であり遊技媒体）を本体内側に形成された遊技領域内へと打ち出し、遊技領域内に形成された入賞口へ入賞させる遊技が可能な機器となっている。
【００３９】
遊技媒体貸出機３は、所謂玉貸機であり、遊技者に対して遊技球を貸し出すための装置である。より具体的には、遊技者による現金の投入や、遊技に使用可能な価値としての残金情報を記録した遊技者用記録媒体（所謂プリペイドカード、図示省略）を受け付け、所定量の遊技球を払い出す装置となっている。
このように遊技媒体貸出機３が遊技者に対して遊技球を払い出すことにより、遊技媒体貸出機３に対応する遊技機２において、払い出された遊技球を使用した遊技が可能となる。
【００４０】
天板６は、遊技機島１の天井壁を形成する部材である。
【００４１】
妻板７は、遊技機島１の側壁のうち、遊技機島１の長手方向の両端部にそれぞれ位置する短寸の側壁を形成する部材である。このことから、妻板７は、その厚さ方向が遊技機島１の長手方向と同方向となっている。
【００４２】
幕板８は、遊技機島１の側壁のうち、遊技機島１の短手方向の両端部にそれぞれ位置する長寸の側壁の一部を形成する部材である。
この幕板８は、天板６の縁部分と連続しており、遊技機取付部４の上側部分に位置している。すなわち、幕板８は、遊技機取付部４が設けられる側面壁の上端近傍を形成する部材である。
【００４３】
ランプ板９は、上端からやや下方側に離れた部分を覆う略長方形平板状の部材であり、遊技機島１の長寸の側壁の一部を形成している。すなわち、このランプ板９は、その上端部分が幕板８の下端部分と連続した状態となっており、幕板８の下方に位置する壁面を形成している。
このランプ板９のうち、下方で並列する遊技機２それぞれの上方となる部分には、データランプ１４が取り付けられている。すなわち、それぞれの遊技機２の上方に個別のデータランプ１４が位置した状態となっている。それぞれのデータランプ１４は、下方に位置する遊技機２と対となっており、対となる遊技機２の稼動状況に関する情報を表示する遊技情報表示装置として機能する。
なお、図１、図２におけるデータランプ１４の符号は、一部にのみ符号を付し、他への符号を省略している。
【００４４】
台間板１０は、遊技機２や遊技媒体貸出機３と水平方向（遊技機島１の長手方向）で隣接する部分に配され、この部分を覆うことにより、遊技機島１の長寸の側壁の一部を形成する部材である。つまり、台間板１０は、遊技機島１の高さ方向（上下方向）の略中央となる部分において、遊技機２又は遊技媒体貸出機３が配置されていない部分を覆う部材である。
【００４５】
膳板１１は、平面視した形状が略四角形状となる平板状の部材であり、遊技機取付部４の下方部分から外側へ張り出した状態となっている。より詳細には、膳板１１は、遊技客の着座側（図１において椅子のある側）へ突出しつつ、遊技機島１の長手方向に沿って延設されるものであり、遊技機島１の長手方向の一端部近傍から他端部近傍まで延びている。この膳板１１は、大別して遊技機島１の内部側に位置する部分と、遊技機島１の外部に露出した部分とに区分される。そして、内部側に位置する部分は、遊技機２を載置するための土台として機能し、外部側に位置する部分は、遊技球を収容する収容箱（図示せず）等を載置するための載置棚として機能する。
【００４６】
腰板１２は、遊技機２の設置位置よりも低い部分を覆うことにより、遊技機島１の長寸の側壁の一部を形成する部材である。
【００４７】
幅木１３は、腰板１２よりさらに低い位置の側壁を形成する長尺板状の部材である。
【００４８】
遊技機島１の内部では、図２で示されるように、島上タンク２０（貯留タンク、上部タンク）、補給レール２１（外部部材，供給用搬送路）、オーバーフローレール２２、球抜きホース２３、オーバーフローホース２４、島中タンク２５、アウトレール２６、研磨装置２７、揚送装置２８、揚送流路２９がそれぞれ設けられている。
【００４９】
島上タンク２０は、遊技機島１の長手方向における中心近傍であって、遊技機２よりも上側に取り付けられた部材であり、揚送流路２９から揚送された遊技球を一時的に貯留する貯留手段として機能する。本実施形態の特徴的な部分である島上タンク２０の具体的な構造については、詳しくは後述する。
【００５０】
補給レール２１は、各遊技機２に向かって遊技球を搬送する搬送路（流路）を形成する部材であり、島上タンク２０が位置する部分から遊技機島１の長手方向の端部に向かって下り勾配となるように設けられている。
より詳細に説明すると、本実施形態における遊技機島１には、２つの補給レール２１が設けられており、一方が遊技機島１の長手方向における一方端側へ向かって延びており、他方が遊技機島１の長手方向における他方端側へ向かって延びている。このとき、一方（図２における左側）の補給レール２１の上端部分は、他方（図２における右側）の補給レール２１の上端部分よりも上方に位置した状態となっている。つまり、一方の補給レール２１が他方の補給レール２１よりも上方に位置した状態となっている。そして、詳しくは後述するが、島上タンク２０から補給レール２１に遊技球が流入する際、下方に位置する補給レール２１に優先して遊技球が流入する構造となっている。
【００５１】
また、それぞれの補給レール２１には、延び方向の中途部分に補給シュート（図示しない）が取り付けられている。より詳細には、補給レール２１には複数の補給シュートが取り付けられており、補給レール２１の延び方向で所定間隔を空けて並列している。それぞれの補給シュートは、補給レール２１から枝分かれして延びる搬送路、すなわち、遊技機２や遊技媒体貸出機３に遊技球を供給するための搬送路を形成する部材である。
【００５２】
オーバーフローレール２２は、補給レール２１から上方に離れた位置に設けられており、補給レール２１と同様に、島上タンク２０が位置する部分から遊技機島１の長手方向の端部に向かって下り勾配となっている。このオーバーフローレール２２は、島上タンク２０の内部で一定量以上となった遊技球を搬送する搬送路を形成するための部材である。
より詳細に説明すると、本実施形態における遊技機島１には、２つのオーバーフローレール２２が設けられており、一方が遊技機島１の長手方向における一方端側へ向かって延びており、他方が遊技機島１の長手方向における他方端側へ向かって延びている。
【００５３】
以上のように、補給レール２１とオーバーフローレール２２は、遊技機２よりも上方で遊技球を水平方向（横方向）に搬送するための搬送路を形成している。
【００５４】
球抜きホース２３は、遊技機島１の長手方向の端部よりの位置に配されており、遊技球を下方へ向かって搬送するための搬送路を形成している。つまり、この球抜きホース２３は、補給レール２１の下流端近傍に連結され、連結部分から垂下された状態となっており、高さ方向（上下方向）に延びる搬送路を形成している。
なお、この球抜きホース２３によって形成される搬送路は、補給レール２１上に滞留した球を強制的に排出するための搬送路であり、通常、この球抜きホース２３の内部を遊技球が流れることはない。
【００５５】
オーバーフローホース２４もまた、遊技機島１の長手方向の端部よりの位置に配されており、遊技球を下方へ向かって搬送するための搬送路を形成している。このオーバーフローホース２４は、オーバーフローレール２２の下流端近傍に連結され、オーバーフローレール２２から垂下された状態となっており、高さ方向（上下方向）に延びる搬送路を形成している。
【００５６】
以上のように、球抜きホース２３とオーバーフローホース２４は、遊技機２の列の並列方向における外側側方で遊技球を上下方向（縦方向）に搬送するための搬送路を形成している。
【００５７】
島中タンク２５は、内部に遊技球を一時的に貯留可能となっており、遊技球の貯留手段（一時貯留手段）として機能する部材である。
本実施形態では、遊技機島１において、遊技機２よりも下方側に位置する下端側の部分であって、遊技機島１の長手方向における片側端部と隣接する位置と、他方側端部と隣接する位置のそれぞれに島中タンク２５が配置された状態となっている。
【００５８】
アウトレール２６は、遊技機２から排出される遊技球（所謂アウト球）や、島中タンク２５から排出される遊技球を搬送するための搬送路を形成する部材である。このアウトレール２６は、遊技機２よりも低位置に配されており、遊技機島１の長手方向の端部側から研磨装置２７側へ向かって下り勾配となるように設置されている。
本実施形態における遊技機島１では、２つのアウトレール２６が設けられており、一方が遊技機島１の長手方向における一方端から中央に位置する研磨装置２７へと向かって延びており、もう一方が遊技機島１の長手方向における他方端から中央に位置する研磨装置２７へと向かって延びている。
【００５９】
すなわち、アウトレール２６は、遊技機２よりも下方で遊技球を水平方向（横方向）に搬送するための搬送路を形成している。
【００６０】
研磨装置２７は、公知のそれと同様のものであり、遊技球を研磨し、付着した汚れを除去する装置である。この研磨装置２７は、遊技機島１の長手方向の略中央となる部分の下部に配されており、研磨した遊技球を近接する揚送装置２８に搬送する機能を有している。
【００６１】
揚送装置２８は、公知のそれと同様のものであり、図３で示されるように、揚送流路２９が連結された状態となっている。この揚送装置２８は、外部から流入した遊技球に対して上方に向かう力を付与しつつ揚送流路２９へ送り出す機能を有する装置であり、揚送流路２９を介して遊技球を上方へ揚送する機能を有している。
【００６２】
揚送流路２９は、図３で示されるように、パイプ状の環状部材３０を複数本密集させ、これらを並列した状態に配することで形成される流路となっている。
すなわち、揚送流路２９は、複数の環状部材３０を備えており、それぞれの環状部材３０が縦方向へ互いに並行して延びている。このとき、所定の環状部材３０と水平方向で隣接する他の環状部材３０とは、接触又は僅かに間隔を空けて並列した状態となっている。
【００６３】
また、本実施形態の揚送流路２９では、このような環状部材３０が複数本密集して形成される集合体（流路）に対し、延び方向における所定部分に束帯部材３１、箱状部材３２を取り付けている。
束帯部材３１は、環状部材３０の密集状態を維持させるための部材であり、本実施形態では、それぞれの環状部材３０を挿通する挿通孔３１ａを備えた板状の部材となっている。この挿通孔３１ａは、上下方向に延び、束帯部材３１を貫通して延びる孔となっている。
箱状部材３２は、複数の環状部材３０からなる集合体（流路）の３方を覆う箱体であり、より詳細には、遊技機島１の短手方向における外側部分と、遊技機島１の長手方向における両側面を覆った状態となっている。
【００６４】
ここで、本実施形態の特徴的な部分であるところの島上タンク２０について詳細に説明する。
【００６５】
島上タンク２０は、図２で示されるように、外部筐体３５の内部に、遊技球を一時的に貯留可能なタンク本体３６を収容して形成されるものである。より具体的には、外部筐体３５の内部空間の一部がタンク本体３６を収容するための領域となっており、他の空間が水平搬送装置（図示しない）等の他の機器を必要に応じて配置するための空間となっている。
【００６６】
なお、ここでいう水平搬送装置とは、公知のそれと同様に、外部から流入した遊技球に対し、搬送方向へ向かう力を付与しつつ流出させる装置である。このような水平搬送装置は、例えば、遊技機島１の島上タンク２０から他の遊技機島１の島上タンク２０へ遊技球の搬送を行う場合に使用可能な装置である。また、この他にも、遊技機島１の島上タンク２０から水平方向に離れた位置（例えば、遊技機２の上方であり、遊技機島１の長手方向の端部近傍となる位置）に補助タンク（図示しない）を設け、島上タンク２０から補助タンクへ向かって遊技球を搬送する場合に使用可能な装置である。
このような水平搬送装置が使用される場合、水平搬送装置が外部筐体３５の内部に配置され、タンク本体３６から（詳しくは後述する溢出球貯留空間７４から）水平搬送装置へ遊技球を流入するための遊技球の搬送路が設けられる。加えて、島上タンク２０から他の遊技機島１の島上タンク２０へ向かう遊技球の搬送路や、島上タンク２０から同じ遊技機島１に設けた補助タンクへ向かう遊技球の搬送路がそれぞれ適宜設けられる。そして、タンク本体３６から水平搬送装置に流入した遊技球が、搬送方向へ向かう力を付与され、水平搬送装置から他の島上タンク２０や補助タンクへ向かう搬送路へと流出されることとなる。
【００６７】
タンク本体３６は、図４、図５で示されるように、外箱部４０と、外箱部４０の外壁部分に取り付けられる流路固定部材４１と、外箱部４０の内部に収容される内部貯留部４２（貯留部）と、内部貯留部４２と連結されるタンク外流路接続部４３（搬送路接続部）とを備えた構造となっている。
【００６８】
外箱部４０は、上方が開放された箱状の部分であり、底板部４７と、底板部４７の周縁から立設され四方を囲む４つの側壁部４８を備えた構造となっている。
【００６９】
底板部４７には、図５、図６で示されるように、内外を連通する通路挿通孔４９が設けられており、この通路挿通孔４９に内部貯留部４２とタンク外流路接続部４３とが一体となって形成される筒状体（詳しくは後述する）が挿通された状態となっている。なお、この通路挿通孔４９の内周面と、筒状体の外周面とは隙間なく密着した状態となっている。
【００７０】
側壁部４８のうち、離間対向する２つの側壁部４８のそれぞれには、図６で示されるように、遊技球をタンク本体３６の外部から内部へ導入するための導入口部５０が設けられている。この導入口部５０は、側壁部４８の上端から下方に延びた切欠き状の部分であり、正面視した形状（側壁部４８の厚さ方向における一方側からみた形状）が四角形状となっている。より具体的には、側壁部４８のうち、上側部分であり、左右方向（上辺の延び方向）における中心近傍にこの導入口部５０が形成されている。
なお、本実施形態では、導入口部５０を上端から下方に延びる切欠き状の部分としたが、側壁部４８の上端よりやや下方に貫通孔を形成してもよい。すなわち、導入口部５０は、側壁部４８の一部を欠落させて形成される部分であり、遊技球をタンク本体３６の外部から内部へ向かって通過させるための部分である。
【００７１】
流路固定部材４１は、図４、図５で示されるように、金属製の板状部材を折り曲げることで形成される部材であり、側壁部４８の外側面に対し、導入口部５０を外側から覆うように取り付けられる部材となっている。具体的には、この流路固定部材４１は、左右方向における中央部分に位置する押さえ板部５３と、左右方向の両端部分のそれぞれに位置する２つの取付板部５４が一体に連続して形成される部材となっている。
なお、本実施形態では、対向する２つの側壁部４８のそれぞれの外側に流路固定部材４１を固定しているが、図４における手前側の流路固定部材４１についてのみ説明し、同一の構造となる図４における奥側の流路固定部材４１についての説明は省略する。
【００７２】
押さえ板部５３は、正面視した形状が四角形状となる立板状の部分である。
【００７３】
取付板部５４は、図４で示されるように、平面視した形状（断面形状）が略「Ｌ」字状で上下方向に延びる部分である。より詳細には、取付板部５４は、正面視した形状が縦長長方形状となる取付板片５４ａと、この取付板片５４ａと略直交する連結板片５４ｂを備えた構造となっている。
この連結板片５４ｂは、取付板片５４ａの左右方向における内側端部を前方へ折り曲げることで形成される部分であり、取付板片５４ａから前方（側壁部４８から外側に離れる方向）に向かって突出する部分であるともいえる。つまり、連結板片５４ｂは、押さえ板部５３と取付板片５４ａの間に位置していており、その基端側が取付板片５４ａの左右方向における内側端部と連続し、その突出端側が押さえ板部５３の左右方向における外側端部と連続した状態となっている。
【００７４】
このことから、押さえ板部５３の後方（押さえ板部５３より側壁部４８側）であり、２つの連結板片５４ｂの間の領域には、揚送流路２９を挿通するための流路挿通空間５５が形成されることとなる。
【００７５】
内部貯留部４２とタンク外流路接続部４３は、図５、図６で示されるように、それぞれ第１無底箱部材６０（箱状体、第１箱状体）と第２無底箱部材６１（箱状体、第２箱状体）のいずれか一方又は双方を使用して形成される部分となっている。具体的には、本実施形態では、３つの第１無底箱部材６０を上下方向で重ねた状態で連結させることで内部貯留部４２を形成しており、１つの第１無底箱部材６０と２つの第２無底箱部材６１を上下方向で重ねた状態で連結させることでタンク外流路接続部４３を形成している。つまり、内部貯留部４２とタンク外流路接続部４３は、いずれも３つの無底箱部材を上下方向で重ね合わせ、これらを図示しない連結金具等で一体化して形成される筒状の部分となっている。
すなわち、内部貯留部４２とタンク外流路接続部４３とを上下方向で重ねた状態で連結させることでさらに長い一連の筒状体（角筒状体）を形成している。また、この筒状体の下端部分は、遊技機島１の内部壁面から突出する木製の板状体４４（図５参照、図６では図示しない）の上に載置された状態となっている。すなわち、この筒状体の底側に位置する開口部分であり、筒状体の内部空間に連通する開口部分は、この遊技機島１の内部壁面から突出する板状体４４によって閉塞された状態となっている。
【００７６】
第１無底箱部材６０は、図７で示されるように、４つの側壁部６５を備えており、それぞれの側壁部６５がいずれも直立した姿勢の長方形平板状となっている。そして、この４つの側壁部６５が四角環形状を形成するように連続する構造となっている。つまり、側壁部６５のうちの２つが離間対向した状態となっており、この２つの側壁部６５の幅方向（高さ方向及び厚さ方向と直交する方向）における両端部にそれぞれ位置する他の２つの側壁部６５もまた、離間対向した状態となっている。言い換えると、それぞれの側壁部６５は、幅方向（高さ方向及び厚さ方向と直交する方向）の両端部分のそれぞれが、他の２つの側壁部６５のそれぞれと略直交した状態で連続しており、この２つとは異なる他の１つの側壁部６５と離間対向した状態となっている。
【００７７】
つまり、第１無底箱部材６０は、上方が開放された無底箱形状（無底四角箱状）であり、あたかも角筒状（筒状）を成すように形成された部材となっている。すなわち、第１無底箱部材６０は、上側及び下側に内外を連通する開口部分を有した構造となっている。そして、４つの側壁部６５の内側部分には、４つの側壁部６５によって周囲を囲繞された内部空間６６が形成されている。そして、この内部空間６６が遊技球を下方へ流したり、遊技球を貯留したりするための空間として機能する。
【００７８】
ここで、側壁部６５のうちの１つには、その内側面に内部空間６６に向かって突出する速度制限板６８が設けられている。
この速度制限板６８は、離間対向する２つの側壁部６５のうち、一方の側壁部６５の内側面から他方の側壁部６５へ向かう方向に突出するものであり、より詳細には、他方の側壁部６５へ向かう方向であって、且つ、下方側へ突出するものとなっている。言い換えると、この速度制限板６８は側壁部６５の内側面からさらに内側に突出するものであり、内側面の基端部分から斜め下側に突出した状態となっている。
このことから、速度制限板６８の上面は、突出基端となる側壁部６５の内側面から離れるにつれ高さの低くなる傾斜面を形成している。つまり、速度制限板６８の突出基端は、突出端（突出先端）よりも高位置となっている。
【００７９】
この速度制限板６８は、上面と下面の間に位置する４つの側面部分のうち、突出端側を除く３つの面がそれぞれ異なる側壁部６５の内側面と連続又は接触した状態となっている。すなわち、周縁部分のうちの突出端側を除く３方が、連続する３つの側壁部６５と連続又は接触した状態となっている。
つまり、上記したように、速度制限板６８の突出基端と連続する１つの側壁部６５が他の２つの側壁部６５のそれぞれと略直交するように連続しており、この２つの側壁部６５の間に速度制限板６８が位置している。そして、速度制限板６８の４つの側面部分のうち、突出方向と直交する方向で離間対向する２面のそれぞれがこの２つの側壁部６５のそれぞれと別途密着した状態となっている。つまり、速度制限板６８は、離間対向する２つの側壁部６５の間に位置し、あたかもこれら２つの側壁部６５によって挟まれたような状態となっている。言い換えると、この速度制限板６８は、離間対向する２つの側壁部６５のうち、一方の側壁部６５の内側面から他方の側壁部６５の内側面まで延びているともいえる。
【００８０】
ここで、速度制限板６８の突出基端となる側壁部６５の内側面と、この側壁部６５と離間対向する他の側壁部６５の内側面との間の距離をＬとすると、これら両面に対して直交する方向となる速度制限板６８の水平方向の長さｌは１／２Ｌ以下の長さとなっている。つまり、速度制限板６８の突出方向における水平方向成分の長さｌが１／２Ｌ以下となっている。
【００８１】
このことにより、第１無底箱部材６０を平面視したときの内部空間６６の投影面は、速度制限板６８が位置する領域と、速度制限板６８が位置しない領域に区画されることとなる（図７（ｃ）参照）。そして、速度制限板６８が位置する領域では、遊技球が上端から下端まで落下不可能な状態となり（以下、速度調整領域とも称する）、速度制限板６８が位置しない領域では、遊技球が上端から下端まで落下可能な状態となる（以下、自由落下領域とも称する）。つまり、内部空間６６には、遊技球が上端から下端まで落下不可能な速度調整領域と、落下可能な自由落下領域とが混在することとなる。
本実施形態では、図７（ｃ）の左側よりの部分に速度調整領域が形成され、図７（ｃ）の右側よりの部分に自由落下領域が形成されている。すなわち、内部空間６６の投影面のうち、幅方向における中心よりも片側端部寄りの部分に速度調整領域が形成され、他方端部よりの部分に自由落下領域が形成されている。そして、内部空間６６の投影面のうち、速度調整領域に対応する部分の面積が、自由落下領域に対応する部分の投影面積よりも小さくなっている。言い換えると、内部空間６６の平面視における投影面積のうち、半分以上の部分が自由落下領域に対応する部分となっている。
【００８２】
第２無底箱部材６１は、図８で示されるように、第１無底箱部材６０と略同一の形状となっており、下方側の一部に上記した補給レール２１（図２等参照）を連結するための連結部７０（流出口）が形成されている点で第１無底箱部材６０と異なっている。以下の説明では、第１無底箱部材６０と同一の部分については、説明を簡略化し、詳細な説明を省略する。
【００８３】
第２無底箱部材６１もまた、４つの側壁部６５を備えており、これらが四角環状に連続している。すなわち、この第２無底箱部材６１もまた、上方が開放された無底箱形状であり、角筒状（筒状）を成すように形成された部材となっている。したがって、第１無底箱部材６０と同様に、４つの側壁部６５の内側部分には、４つの側壁部６５によって周囲を囲繞された内部空間６６が形成されている。さらに、側壁部６５のうちの１つには、その内側面に内部空間６６に向かって突出する速度制限板６８が設けられている。
【００８４】
第２無底箱部材６１では、速度制限板６８の突出基端側と連続する側壁部６５の除いた他の３つの側壁部６５の下方部分に、第２無底箱部材６１の内部空間６６と外部を連通する連結部７０が設けられている。すなわち、連結部７０は、第２無底箱部材６１の内外を連通する連通孔を有し、その開口部分は、１つの側壁部６５と、この側壁部６５と略直交するように連続する他の２つの側壁部６５からなる３つの側壁部６５に跨って延びている。そして、この連通孔そのもの又は、連通孔とその周辺部分が外部のレール部材（遊技球の搬送路を形成する部材）を連結するための連結部７０として機能する。
【００８５】
ここで、この１つの側壁部６５とは、本実施形態では、速度制限板６８の突出基端側と連続する側壁部６５に対して離間対向する位置にある側壁部６５である。以下、この側壁部６５を「基準となる側壁部６５」とも称す。
基準となる側壁部６５では、その下端側部分が幅方向（上下方向及び厚さ方向の直交する方向）の全域に亘って欠落した状態となっている。このことから、第２無底箱部材６１を側面視したとき（第２無底箱部材６１を基準となる側壁部６５の側からみたとき）、基準となる側壁部６５の下方側部分に横長四角形状となる開口部分が形成された状態となっている。
【００８６】
そして、他の２つの側壁部６５では、基準となる側壁部６５よりの部分であり、且つ、下端よりに位置する角部分の周辺が欠落した状態となっている。
２つの側壁部６５にそれぞれ形成される欠落部分の形状は、いずれも四隅の１つが丸みを帯びた略縦長長方形状となっている。より具体的には、側壁部６５の厚さ方向外側からみたとき、速度制限板６８と連続する側壁部６５よりであり、上端側に位置する角部分が丸みを帯びた略縦長長方形状となっている。
そして、他の２つの側壁部６５のうち、一方の側壁部６５の欠落部分と、もう一方の側壁部６５の欠落部分とが同一の形状となっている。このことから、これら欠落部分を１方の側壁部６５の外側からみたとき（例えば、図８（ａ）の手前側からみたとき）、略丁度重なった状態となる。つまり、これら２つの側壁部６５と平行な面を投影面として、それぞれの欠落部分を投影させた場合、その投影形状が略丁度重なることとなる。
【００８７】
以上のことから、第２無底箱部材６１では、図８（ｂ）で示されるように、離間対向する側壁部６５の一方側に速度制限板６８が位置し、他方側に連結部７０が位置した状態となる。そして、これら速度制限板６８と連結部７０は、いずれも第２無底箱部材６１の下方よりの位置に設けられている。
すなわち、速度制限板６８と連結部７０は、離間対向する位置にそれぞれ配置されており、速度制限板６８から、水平方向であり、且つ、速度制限板６８と連続する側壁部６５の内側面と直交する方向で離れた位置に、連結部７０が位置した状態となっている。
【００８８】
本実施形態の内部貯留部４２は、上記したように、３つの第１無底箱部材６０を上下方向で重ねた状態とし、これらを一体に連結することで形成されている。このとき、図９で示されるように、それぞれの第１無底箱部材６０の向きを平面視で９０度ずつ反時計回りにずらした状態としている（詳しくは後述する）。
【００８９】
内部貯留部４２では、３つの第１無底箱部材６０が上下方向で重なっており、上方に位置する第１無底箱部材６０の４つの側壁部６５のそれぞれの下方に、下方に位置する第１無底箱部材６０の４つの側壁部６５のそれぞれが位置した状態となっている。そして、上下方向で重なる側壁部６５の外側面同士が同一面を形成し、内側面同士もまた同一面を形成した状態となっている。
すなわち、３つの第１無底箱部材６０は、いずれも手前側の側壁部６５、右側の側壁部６５、奥側の側壁部６５、左側の側壁部６５を有している。そして、３つの手前側の側壁部６５が上下方向で重なった状態となり、且つ、その外側面同士が同一面を形成した状態となっている。同様に、３つの右側の側壁部６５、３つの奥側の側壁部６５、３つの左前側の側壁部６５もまた、上下方向で重なった状態となり、且つ、その外側面同士が同一面を形成している。
このことから、３つの第１無底箱部材６０があたかも１つの容積の大きな無底箱であり、１つの大きな筒状体を形成した状態となっている。すなわち、上下方向で並列する３つの側壁部６５が組となり、内部貯留部４２の１つの側壁を形成している。
【００９０】
したがって、内部貯留部４２の内側部分でもまた、３つの第１無底箱部材６０の内部空間６６が連続して一体の空間を形成している。すなわち、環状に連続する内部貯留部４２の４つの側壁の内側に、３つの内部空間６６が上下方向で並列し、一体に連続することで形成される空間が形成された状態となっている。すなわち、内部貯留部４２の内部側でもまた、上下方向で重なる側壁部６５の内側面同士が同一面を形成した状態となっている。
【００９１】
ここで、上記したように、３つの第１無底箱部材６０の向きは、平面視で９０度ずつずらした状態となっている。
具体的に説明すると、第１無底箱部材６０は、いずれも手前側の側壁部６５、右側の側壁部６５、奥側の側壁部６５、左側の側壁部６５を有しており、これらが周方向で連続した状態となっている。
そして、最も上方に位置する第１無底箱部材６０は、右側に位置する側壁部６５の内側面から速度制限板６８が突出した状態となっており、上方から２番目に位置する第１無底箱部材６０は、奥側に位置する側壁部６５の内側面から速度制限板６８が突出した状態となっている。また、最も下方に位置する第１無底箱部材６０は、左側に位置する側壁部６５から速度制限板６８が突出した状態となっている。
【００９２】
すなわち、最も上方に位置する第１無底箱部材６０において速度制限板６８が連続する側壁部６５と、上方から２番目に位置する第１無底箱部材６０において速度制限板６８が連続する側壁部６５とが平面視で周方向に９０度ずれた位置に配されている。そして、上方から２番目に位置する第１無底箱部材６０において速度制限板６８が連続する側壁部６５と、上方から３番目に位置する第１無底箱部材６０において速度制限板６８が連続する側壁部６５とが平面視で周方向に９０度ずれた位置に配されている。言い換えると、上方に位置する第１無底箱部材６０と、その直下に位置する第１無底箱部材６０では、速度制限板６８が連続する側壁部６５の位置が平面視で周方向に９０度ずれた状態となっている。
このように、内部貯留部４２では、上方の第１無底箱部材６０に対し、その直下に位置する第１無底箱部材６０を速度制限板６８の位置が周方向にずれた状態となるように重ねて配置している。さらにいうと、複数の第１無底箱部材６０を上下方向に重ねて配置するとき、下方に向かうにつれて速度制限板６８の位置が周方向にずれていくように、これらを配置している。
【００９３】
タンク外流路接続部４３は、上記したように、１つの第１無底箱部材６０と２つの第２無底箱部材６１を上下方向で重ねた状態とし、これらを一体に連結することで形成されている。すなわち、図１０で示されるように、上方から第２無底箱部材６１、第１無底箱部材６０、第２無底箱部材６１の順に配されており、これらが一体に連結した状態となっている。
このタンク外流路接続部４３では、上端側と下端側に第２無底箱部材６１を配する点において、内部貯留部４２と異なっている。以下の説明では、内部貯留部４２と同一の部分については、説明を簡略化し、詳細な説明を省略する。
【００９４】
本実施形態のタンク外流路接続部４３でもまた、第２無底箱部材６１の４つの側壁部６５のそれぞれの下方に第１無底箱部材６０の４つの側壁部６５のそれぞれが位置した状態となり、第１無底箱部材６０の４つの側壁部６５のそれぞれの下方に第２無底箱部材６１の４つの側壁部６５のそれぞれが位置した状態となっている。そして、３つの手前側の側壁部６５が上下方向で重なった状態となることで、タンク外流路接続部４３の手前側の側壁が形成されている。
同様に、タンク外流路接続部４３の右側の側壁、奥側の側壁、左側の側壁もまた、３つの側壁部６５が上下方向で重なった状態となることで、形成されている。
【００９５】
タンク外流路接続部４３の内部空間もまた、３つの無底箱部材（１つの第１無底箱部材６０と２つの第２無底箱部材６１）の内部空間６６が連続して一体の空間を形成している。すなわち、環状に連続するタンク外流路接続部４３の４つの側壁の内側に、３つの内部空間６６が上下方向で並列し、一体に連続することで上下方向に延びる大きな空間が形成された状態となっている。
【００９６】
タンク外流路接続部４３でもまた、上方の無底箱部材に対し、その直下に位置する無底箱部材を速度制限板６８の位置が周方向にずれた状態となるように重ねて配置している。さらにいうと、複数の無底箱部材を上下方向に重ねて配置するとき、下方に向かうにつれて速度制限板６８の位置が周方向にずれていくように、これらを配置している。
本実施形態では、最も上方に位置する第２無底箱部材６１は、右側に位置する側壁部６５の内側面から速度制限板６８が突出した状態となっており、上方から２番目に位置する第１無底箱部材６０は、手前側に位置する側壁部６５の内側面から速度制限板６８が突出した状態となっている。また、最も下方に位置する第２無底箱部材６１は、左側に位置する側壁部６５から速度制限板６８が突出した状態となっている。
つまり、内部貯留部４２の速度制限板６８と連続する側壁部６５の位置が、下方に向かうにつれて平面視で反時計回りに９０度ずつずれていくのに対し（図９等参照）、このタンク外流路接続部４３では、速度制限板６８と連続する側壁部６５の位置が、下方に向かうにつれて平面視で時計回りに９０度ずつずれている。
【００９７】
ここで、タンク外流路接続部４３では、最も上方に位置する第２無底箱部材６１の下端近傍、すなわち、タンク外流路接続部４３の上端よりもやや下方側に位置した部分に、上方側の連結部７０が位置した状態となっている。また、最も下方に位置する第２無底箱部材６１の下端近傍、すなわち、タンク外流路接続部４３の下端近傍となる部分に、下方側の連結部７０が位置した状態となっている
すなわち、タンク外流路接続部４３は、２つの連結部７０を備えた構造となっており、一方が上方側に他方が下方側に位置した状態となっている。
【００９８】
そして、上方に位置する連結部７０は、左右方向における一方側（図１０の左側）に向かって開口しており、下方に位置する連結部７０は、左右方向における他方側（図１０の右側）に向かって開口している。すなわち、高さの異なる位置にある２つの連結部７０が、左右方向で互いに相反する方向へ向かって開口した状態となっている。
【００９９】
続いて、タンク本体３６の取り付け構造及び組み立て構造について説明する。
【０１００】
タンク本体３６は、図４で示されるように、外箱部４０の側壁部４８に対して揚送流路２９の上端部分を固定した状態で設置するものとなっている。
すなわち、揚送流路２９の上端部分を導入口部５０の外側に位置させ、そのさらに外側に流路固定部材４１を位置させる。このとき、流路固定部材４１の取付板部５４を側壁部４８に密着させた状態で一体に固定し、流路固定部材４１の押さえ板部５３と２つの取付板部５４に囲まれた空間に、揚送流路２９の上端部分を位置させる。より詳細には、揚送流路２９の上端部分が押さえ板部５３の上端部分よりも低位置となるように、揚送流路２９の上端部分を位置させる。
このようにすることで、揚送流路２９が流路固定部材４１により外箱部４０の側壁部４８に固定された状態となる。
【０１０１】
タンク本体３６では、図５、図６で示されるように、内部貯留部４２とタンク外流路接続部４３を一体化して形成される筒状体が、外箱部４０の内外を連通した状態で固定された状態となっている。
【０１０２】
このとき、内部貯留部４２は、外箱部４０の内部空間に位置した状態となっている。そして、図６で示されるように、外箱部４０の側壁部４８のうち、導入口部５０が設けられた２つの側壁部４８のそれぞれの内側面が、内部貯留部４２の側壁部分のうち、２つの側壁部分の外側面のそれぞれと接触した状態となっている。そして、外箱部４０の他の２つの側壁部４８の内側面のそれぞれと、内部貯留部４２の他の２つの側壁部分の外側面のそれぞれとが間隔を空けて配されている。
【０１０３】
より具体的に説明すると、導入口部５０が設けられた２つの側壁部４８は、上記したように、離間対向した状態となっている。このことから、離間対向する側壁部４８のそれぞれの内側面と、同方向で離間対向する内部貯留部４２の２つの側壁部分のそれぞれの外周面が密着した状態となっている。
ここで、外箱部４０の他の２つの側壁部４８もまた、導入口部５０が設けられた２つの側壁部４８とは異なる方向で離間対向した状態となっている。このことから、この離間対向する他の側壁部４８の一方の内側面と、同方向で離間対向する内部貯留部４２の２つの側壁部分のうちの一方の外側面とが間隔を空けて配され、これらの間に溢出球貯留空間７４が形成されている。さらに、この離間対向する他の側壁部４８の他方の内側面と、同方向で離間対向する内部貯留部４２の２つの側壁部分のうちの他方の外側面もまた、間隔を空けて配されており、これらの間に溢出球貯留空間７４が形成されている。
【０１０４】
すなわち、外箱部４０の内側部分には、２つの溢出球貯留空間７４が形成された状態となっている。この溢出球貯留空間７４は、いずれも外箱部４０の側壁部４８の内側面と、内部貯留部４２の側壁部分の外側面との間に形成される空間となっている。そして、２つの溢出球貯留空間７４は、図６（ｂ）で示されるように、内部貯留部４２の左右方向におけるそれぞれの外側であり、内部貯留部４２の外側に隣接する位置に形成されている。言い換えると、２つの溢出球貯留空間７４は、左右方向で間隔を空けてそれぞれ配されており、２つの溢出球貯留空間７４の間に内部貯留部４２が位置した状態となっている。つまり、外箱部４０の内側部分は、内部貯留部４２が位置する部分と、２つの溢出球貯留空間７４のそれぞれが位置する部分とに区画されている。
【０１０５】
また、内部貯留部４２とタンク外流路接続部４３によって形成される筒状体の下方部分、すなわち、タンク外流路接続部４３の略全ての部分は、外箱部４０の底板部４７より下方に位置した状態となっている。すなわち、タンク外流路接続部４３は、上端側の僅かな部分が底板部４７に形成された通路挿通孔４９（図５等参照）の内側に位置しており、他の略全ての部分が外箱部４０の外側に位置している。そして、このタンク外流路接続部４３の略全ての部分は、外箱部４０の底板部４７から下方に突出したような状態で配されている。
なお、本実施形態では、タンク外流路接続部４３の上端側部分を除く略全ての部分を外箱部４０の底板部４７より下方側に位置させたが、タンク外流路接続部４３の全ての部分を底板部４７より下方側に位置させてもよい。すなわち、底板部４７に形成された通路挿通孔４９（図５等参照）の内側にタンク外流路接続部４３の上端側部分を配する構造に替わって、内部貯留部４２の下端部分を位置させる構造としてもよい。
【０１０６】
ここで、図５で示されるように、溢出球貯留空間７４の底側部分には、左右方向における外側に向かって下り勾配となる傾斜面が形成されている。つまり、外箱部４０の底板部４７の上面であって、溢出球貯留空間７４と面する部分には、外側に向かうにつれて高さの低くなる傾斜面が形成されている。
そして、外箱部４０の側壁部４８のうち、この傾斜面の下端近傍に位置する部分には、溢出球貯留空間７４と外部を連通する流通孔が設けられている。この流通孔又は、流通孔とその周辺部分が、外部のレール部材（遊技球の搬送路を形成する部材）を連結するための搬送路連結部として機能する。すなわち、オーバーフローレール２２の上流端を接続するためのオーバーフローレール連結部として機能する。
【０１０７】
ここで、図５で示されるように、外箱部４０には２つのオーバーフローレール２２が接続された状態となっており、それぞれのオーバーフローレール２２は、外箱部４０の側壁部４８に形成された流通孔を介して溢出球貯留空間７４と連続している。このことから、溢出球貯留空間７４に貯留された遊技球がオーバーフローレール２２に流出可能となっている。
【０１０８】
また、図５で示されるように、タンク外流路接続部４３にそれぞれ形成された連結部７０には、それぞれ別の補給レール２１の上流端が接続された状態となっている。すなわち、それぞれの補給レール２１は、連結部７０を介してタンク外流路接続部４３の内部と連続している。このことから、遊技球がタンク外流路接続部４３から補給レール２１に流出可能となっている。
なお、上記したように、２つの連結部７０は、左右方向において互いに相反する方向に開口している。言い換えると、それぞれの連結部７０は、連結される搬送路（補給レール２１）の延び方向に向かって開口した状態となっている。
【０１０９】
続いて、本実施形態の遊技機島１において、内部で遊技球を循環させる際の遊技球の流れについて詳細に説明する。
【０１１０】
本実施形態の遊技機島１では、上記した各搬送路及び各機器を内部に備えることにより、遊技機２から排出された遊技球の回収と、遊技機２や遊技媒体貸出機３への遊技球の供給とが可能となっている。
【０１１１】
図２を参照しつつ具体的に説明すると、遊技機２から排出された遊技球は、直接又は島中タンク２５の内部を経て、アウトレール２６に導入される構造となっている。このとき、アウトレール２６を下端まで流れた遊技球は、研磨装置２７に流入し、研磨装置２７で研磨された後、揚送装置２８に流入する。
続いて、揚送装置２８の内部に流入した遊技球は、揚送装置２８によって上側へ向かう力を付与されつつ揚送流路２９に流入され、揚送流路２９の上端側から島上タンク２０のタンク本体３６へ流入することとなる。そして、タンク本体３６に一時的に貯留された遊技球は、補給レール２１を介してそれぞれの遊技機２や遊技媒体貸出機３へ供給されることとなる。
このように、遊技機島１の内部では、遊技機２を経て遊技球が循環するための循環経路が形成されており、遊技球を循環させることが可能となっている。
【０１１２】
ここで、揚送流路２９から島上タンク２０に遊技球を流入させる際、島上タンク２０の貯留可能量を超える量の遊技球が流入してしまう場合がある。そこで、本実施形態では、島上タンク２０の貯留量が一定以上となった場合、過剰分の遊技球をオーバーフローレール２２、オーバーフローホース２４を介して島中タンク２５の内部に導入させる構造となっている。すなわち、島上タンク２０から島中タンク２５に余剰分の遊技球を流入させる構造とし、島上タンク２０からの遊技球の溢れ出しを防止可能となっている。
【０１１３】
以下、揚送流路２９から島上タンク２０に遊技球を流入させ、島上タンク２０から補給レール２１に遊技球を流出させる際の一連の流れと、貯留可能量を超えた遊技球を島上タンク２０からオーバーフローレール２２へ流出させる際の一連の流れについて詳細に説明する。
【０１１４】
まず、揚送流路２９から島上タンク２０に遊技球を流入させる際、揚送流路２９の上端部分からタンク本体３６の内部に遊技球が流入することとなる。すなわち、外部筐体３５の内部では、上記したように、タンク本体３６に揚送流路２９が固定された状態となっている。このため、図１１で示されるように、揚送流路２９の上端部分から導入口部５０を介して外箱部４０の内部に遊技球が流入されることとなる。
このとき、上記したように、導入口部５０が形成された外箱部４０の側壁部４８の内周面と、内部貯留部４２の側壁部分の外周面が密着されていることから、導入口部５０よりもやや内側に位置する部分の下方に、内部貯留部４２の上端開口部が位置した状態となっている。このことから、導入口部５０から外箱部４０の内側に落下した遊技球がそのまま内部貯留部４２の内部へと流入していくこととなる。
【０１１５】
そして、内部貯留部４２の内部に流入した遊技球は、図１２で示されるように、内部貯留部４２及びタンク外流路接続部４３が一体となって形成される筒状体の内部を落下していく。
ここで、この筒状体の内部空間には、上記したように、内側面から内側に向かって突出する速度制限板６８が上下方向で離れた複数個所に設けられた状態となっており、それぞれの速度制限板６８が下方に向かって傾斜した状態となっている。このため、筒状体の内部を落下する遊技球が速度制限板６８の上面に衝突し、速度制限板６８の上面を転がって下方に流れ、速度制限板６８の上面となる傾斜面の下端部分からさらに下方へと落下する。
【０１１６】
すなわち、内部貯留部４２及びタンク外流路接続部４３から形成される筒状体の内部を落下する遊技球が、落下の途中で速度制限板６８に衝突し、速度制限板６８の上面を転がった後、さらに下方に落下することで、遊技球の落下速度を緩やかにすることができる。このことにより、勢いよく落下した遊技球が筒状体の下方側で側壁部６５の内側面や他の遊技球等と衝突することに起因する各部材や遊技球そのものの破損、すなわち、筒状体の破損、筒状体に連結される搬送路の破損、遊技球の破損等を防止できる。
【０１１７】
ここで、この筒状体では、上記したように、下方に向かうにつれて速度制限板６８の位置が周方向にずれていく構造となっている。言い換えると、速度制限板６８同士の平面視における重なり部分がなるべく少なくなるように、それぞれの速度制限板６８が配置された状態となっている。このことから、筒状体の内部空間を平面視したとき、中心側の僅かな領域を除く他の全ての領域にいずれかの速度制限板６８が位置した状態となっている。
このように、平面視したときに速度制限板６８が位置しない領域を少なくする構造とすると、筒状体の上端から流入する遊技球が速度制限板６８に衝突させ易くすることができる。すなわち、遊技球が内部空間の中心側を除くいずれの部分で下方に落下したとしても、遊技球が速度制限板６８に衝突する構造となっている。
【０１１８】
なお、本実施形態では、筒状体の上端開口のうち、周縁部分よりの位置から遊技球が流入する（図１１参照）ので、遊技球は、必然的に側壁部６５よりの位置を落下することになる。このことにより、遊技球をより確実に落下の途中でいずれかの速度制限板６８と衝突させることが可能となっている。言い換えると、より確実に落下する遊技球の速度を緩やかにできる構造となっている。
【０１１９】
このように、筒状体に遊技球が流入していくと、図１３で示されるように、最も下方側に位置する第２無底箱部材６１へと到達し、第２無底箱部材６１の内部から、第２無底箱部材６１に連結された補給レール２１へと流入する。そして、補給レール２１に流入した遊技球は、遊技機２へ供給されるまでの間、補給レール２１の上（又は内部）に位置した状態となる。
すなわち、補給レール２１に遊技球が流入し続けると、この補給レール２１の上（又は内部）に多くの遊技球が待機した状態となり、この補給レール２１に対して新たな遊技球が流入できない状態となる。
【０１２０】
筒状体の下端側に連結された補給レール２１に新たな遊技球が流入できない状態において、さらに筒状体に遊技球が流入していくと、遊技球が筒状体の下端側に溜まった状態となる（図１４等参照）。すなわち、上記したように、筒状体の下端開口部分が遊技機島１の内部壁面から突出する板状体４４によって閉塞された状態であることから、最も下端側に位置する第２無底箱部材６１の内部に遊技球が貯留されていく。
【０１２１】
そのまま、遊技球が貯留されていくと、図１４で示されるように、最も下端側に位置する第２無底箱部材６１の内部、下から２番目に位置する第１無底箱部材６０の内部といった具合に、下方側に位置する無底箱部材の内部から順に遊技球が貯留されていくこととなる。
【０１２２】
そして、筒状体の内部に貯留されて積み重なった遊技球の高さが上方に位置する連結部７０の高さまで到達すると、この連結部７０と連続する上側の補給レール２１に遊技球が流入していく。
すなわち、筒状体の内部に遊技球が流入し続けると、最も下端側に位置する第２無底箱部材６１の内部と、下から２番目に位置する第１無底箱部材６０の内部とが遊技球によって満たされた状態となる。すなわち、積み重なって貯留された遊技球の塊の最上端部分が徐々に上側へと移動していくこととなり、この最上端部分が下から３番目に位置する第２無底箱部材６１の内部まで到達する。そして、この状態でさらに筒状体に遊技球が流入されると、この第２無底箱部材６１と連続する補給レール２１（上側の補給レール２１）に遊技球が流入していくこととなる。
【０１２３】
この上側の補給レール２１においても、遊技球が流入し続けると、補給レール２１の上（又は内部）に遊技球が待機し、補給レール２１に新たな遊技球が流入できない状態となる。この状態で、さらに筒状体の内部に遊技球が流入し続けることにより、下から３番目に位置する第２無底箱部材６１の内部が遊技球で満たされることとなる。すなわち、タンク外流路接続部４３の内部が遊技球で満たされた状態となる。
【０１２４】
このように、タンク外流路接続部４３の内部に遊技球が満たされた状態で、さらに筒状体に遊技球が流入し続けると、図１５で示されるように、内部貯留部４２の内部もまた遊技球で満たされていく。すなわち、最も下端側に位置する第１無底箱部材６０の内部、下から２番目に位置する第１無底箱部材６０の内部、下から３番目に位置する第１無底箱部材６０の順に遊技球が貯留されていく。つまり、内部貯留部４２でもまた、タンク外流路接続部４３と同様に、下方側に位置する無底箱部材の内部から順に遊技球が貯留されていくこととなる。
【０１２５】
そして、遊技球が流入し続けることで、内部貯留部４２の上端まで遊技球が満たされた状態、すなわち、内部貯留部４２及びタンク外流路接続部４３が連結して形成される筒状体の内部空間の全てが遊技球で満たされた状態となる。
この状態で、さらに遊技球が流入すると、内部貯留部４２（筒状体）から遊技球が溢れ、溢れた遊技球が溢出球貯留空間７４へと流入する。すなわち、内部貯留部４２の内部に遊技球が満たされ、これ以上の内部貯留部４２への遊技球の流入が不可能であるとき、タンク本体３６に流入した遊技球は、溢出球貯留空間７４に流入していく。
【０１２６】
そして、溢出球貯留空間７４に流入した遊技球は、その下端部分に位置する傾斜面に到達し、傾斜面の上を転がった後、傾斜面の下流端近傍に位置する連通孔を介してオーバーフローレール２２へと流入する。
【０１２７】
以上のように、本実施形態の島上タンク２０では、遊技球の一時貯留と、補給レール２１への遊技球の供給、さらには、余剰の遊技球のオーバーフローレール２２への供給が可能となっている。
【０１２８】
このような本実施形態の島上タンク２０では、内部貯留部４２やタンク外流路接続部４３を構成する無底箱部材の数や組み合わせ方を可変させることで、遊技球の貯留量を可変させることや、連結部７０の高さを可変させることができる。
具体的に説明すると、上記した実施形態では、３つの第１無底箱部材６０を上下方向で重ね合わせ、一体に連結させることで内部貯留部４２を形成したが、例えば、４つ以上の第１無底箱部材６０を上下方向で重ね合わせて形成する場合、上記した内部貯留部４２よりも貯留可能な遊技球の量を増加させることができる。また、反対に２つ以下の第１無底箱部材６０を上下方向で重ね合わせて形成すると、上記した内部貯留部４２よりも貯留可能な遊技球の量を減少させることができる。
すなわち、内部貯留部４２を１個以上の無底箱部材によって構成し、内部貯留部４２を構成する無底箱部材の数を可変可能とすることで、内部貯留部４２が貯留可能である遊技球の量（内部貯留部４２の最大貯留量）を増減させることが可能となる。
【０１２９】
また、図１６で示されるように、タンク外流路接続部１４３を４つの無底箱部材によって形成し、上方から第１無底箱部材６０、第１無底箱部材６０、第２無底箱部材６１、第２無底箱部材６１が位置した状態とする。このようにタンク外流路接続部１４３を形成すると、上記したタンク外流路接続部４３（図２参照）と比べて、上方に位置する連結部７０の位置と、下方に位置する連結部７０の位置のそれぞれを低くすることができる。
ここで、連結部７０は、上記したように、補給レール２１の上流端を連結させる部分となっている。したがって、連結部７０を低位置となるようにタンク外流路接続部１４３を形成することで、補給レール２１の上流端の位置を低位置に配することが可能となり、延いては、補給レール２１の傾斜角度を緩やかにすることが可能となる。
【０１３０】
すなわち、図１６で示されるように、遊技機島１０１の長手方向で並列する遊技機２の数を少なくした場合、補給レール２１の延び方向における長さもまた短くなるので、補給レール２１の傾斜角度を緩やかにすることが望ましい。このように補給レール２１の傾斜角度を緩やかにすると、補給レール２１の傾斜角度を急な角度とした場合と比べて、補給レール２１の高さ寸法を小さくすることが可能となる。すなわち、遊技機島１０１の内部に補給レール２１の設置領域を確保するとき、高さ方向に広い領域を確保する必要がなく、補給レール２１を含む各種部材の設置自由度を向上させることができる。言い換えると、遊技機島１０１の全体の高さを必要以上に高くしなくても補給レール２１やその他の部材を設置可能となる。
【０１３１】
反対に、遊技機島の長手方向で並列する遊技機２の数が多くなった場合、補給レール２１の延び方向における距離もまた長くなるので、自重によって補給レール２１を転がる遊技球を円滑に流動させるという観点から、補給レール２１の傾斜角度を急な角度とすることが好ましい。
例えば、タンク外流路接続部を２つの第２無底箱部材６１によって形成し、２つの第２無底箱部材６１が上下方向で重なって連結した状態とする（図示しない）。この場合、このタンク外流路接続部は、上記したようなタンク外流路接続部４３（図２参照）と比べて、下方に位置する連結部７０の位置を高くすることができる。すなわち、下方に位置する補給レール２１の傾斜角度を急な角度とすることができる。
【０１３２】
以上のように、本実施形態の島上タンク２０では、タンク外流路接続部を構成する無底箱部材の数を可変させたり、連結部７０を備えた無底箱部材（第２無底箱部材６１）の配置高さを可変させたりすることで、連結部７０の配置高さを可変させることができる。
このことにより、補給レール２１の上端部分の配置高さを可変させること（補給レール２１の傾斜角度を可変させること）が可能となる。
【０１３３】
なお、上記した実施形態では、島上タンク２０に２つの溢出球貯留空間７４を設け、そのそれぞれとオーバーフローレール２２を連結させた例を示したが、本発明はこれに限るものではない。
例えば、図１６で示されるように、島上タンク１２０（貯留タンク、上部タンク）に１つの溢出球貯留空間７４を設け、この溢出球貯留空間７４にオーバーフローレール２２を連結させる構造であってもよい。
【０１３４】
すなわち、図１７（ａ）で示されるように、内部貯留部４２の３つの側壁部分のそれぞれの外側面と、外箱部１４０の３つの側壁部分のそれぞれの内側面とが別途接触した状態であってもよい。すなわち、内部貯留部４２を左右方向の一方側（左側）に偏在するように配置し、溢出球貯留空間７４を左右方向における他方側にのみ形成してもよい。この際、外箱部１４０の側壁部分に形成される導入口部５０もまた、左右方向の一方側にずれた位置に形成してもよい。すなわち、導入口部５０の上下方向及び左右方向の位置は適宜変更してもよい。
【０１３５】
また、他の例として、図１７（ｂ）で示されるように、内部貯留部４２の１つの側壁部分の外側面と、外箱部１４１の１つの側壁部分の内側面が接触し、内部貯留部４２の他の３つの側壁部分と、外箱部１４１の他の３つの側壁部分とがそれぞれ別途離間対向するように形成してもよい。この際、外箱部１４１の１つの側壁部分にのみ導入口部５０を形成してもよい。すなわち、前方（図１７（ｂ）における下方）からのみ遊技球を流入させる構造であってかまわない。
このようにすることで、内部貯留部４２の３方を囲む溢出球貯留空間１７４が形成されることとなる。すなわち、平面視した形状が上下逆向きにした「凹」字状であり、左方、奥側、右方に跨って延びる１つの溢出球貯留空間１７４が形成されることとなる。
【０１３６】
上記した実施形態では、無底箱部材を上下方向で組み合わせることで、タンク外流路接続部４３を形成し、このタンク外流路接続部４３を遊技機島１の内部壁面から突出する板状体４４の上に載置して、タンク外流路接続部４３の下端開口を塞いだ例を示したが、本発明はこれに限るものではない。
例えば、上記した実施形態と同様にタンク外流路接続部４３を形成し、その下端部分に別途形成した板状部材を一体に固定することで、下端開口を塞いでもよい。この場合、タンク外流路接続部４３の下端開口の全域の下方に、遊技機島１の内部壁面から突出する板状体４４を位置させなくてもよい。タンク外流路接続部４３の底側部分（下端側に位置する面）の少なくとも一部と遊技機島１の内部壁面から突出する板状体４４が接触することで、タンク外流路接続部４３が支持されればよい。
【０１３７】
また、タンク外流路接続部４３を遊技機島１の内部壁面から突出する木製の板状体４４に載置せず、遊技機島１の内部壁面に固定した金板や金具の上に配する構造であってもよい。この場合、金板や金具の上にタンク外流路接続部４３の底側部分が設置されていればよい。
さらに、タンク外流路接続部４３の下端開口を板状部材等で塞いだ場合、タンク外流路接続部４３の側面等に一体に固定したＬ字金具の一部が、タンク外流路接続部４３の下方に位置する構造であってもよい。すなわち、Ｌ字金具の直線状に延びた部分をタンク外流路接続部４３の側壁部分の外側に固定し、屈曲して延びる部分をタンク外流路接続部４３の底側部分の下側に固定する構造であってもよい。この場合には、金具の上にタンク外流路接続部４３の底側部分の少なくとも一部が載置されていればよい。
【０１３８】
上記した実施形態では、速度制限板６８を備えた第１無底箱部材６０、第２無底箱部材６１によって内部貯留部４２やタンク外流路接続部４３を形成する例を示したが、本発明はこれに限るものではない。
例えば、図１８で示されるように、速度制限板６８を設けない第３無底箱部材６２（箱状体、第１箱状体）によって内部貯留部４２の一部又は全てを構成したり、タンク外流路接続部４３の一部を構成したりしてもよい。この第３無底箱部材６２は、速度制限板６８が形成されていない点を除いて、第１無底箱部材６０と同一の構造となっている。
同様に、速度制限板６８を設けない点を除いて、第２無底箱部材６１と同一の構造となる第４無底箱部材（箱状体であり第２箱状体、図示しない）により、タンク外流路接続部４３の一部又は全てを構成してもよい。言い換えると、第３無底箱部材６２に対して連結部７０を形成した無底箱部材により、タンク外流路接続部４３の一部又は全てを構成してもよい。
このような第３無底箱部材６２、第４無底箱部材（図示しない）は、速度制限板６８が形成されていないことから、第１無底箱部材６０、第２無底箱部材６１に比べて内部に貯留可能な遊技球の量を多くできるという利点がある。しかしながら、上記したように、落下する遊技球の速度を低減させるという観点から、速度制限板６８を備えた第１無底箱部材６０や第２無底箱部材６１を使用して、内部貯留部４２やタンク外流路接続部４３を形成することが好ましい。
【０１３９】
上記した実施形態では、無底箱部材を上下方向で重ねることでタンク外流路接続部４３を形成する例を示したが、本発明はこれに限るものではない。
無底箱部材（箱状体）と有底箱部材（箱状体）を組み合わせてタンク外流路接続部を形成する構造であってもかまわない。すなわち、上記した各無底箱部材（第１無底箱部材６０、第２無底箱部材６１、第３無底箱部材６２、第４無底箱部材）に対して底板部分を一体に形成した有底箱部材により、タンク外流路接続部の下端部分の一部又は全てを構成してもよい。
【０１４０】
また、上記した実施形態では、２つの連結部７０を備えたタンク外流路接続部４３を形成する例を示したが、本発明はこれに限るものでない。
例えば、１つの第２無底箱部材６１と、１以上の第１無底箱部材６０を組み合わせてタンク外流路接続部を形成し、１つのみの連結部７０を備える構造としてもよい。すなわち、タンク外流路接続部に１つのみの補給レール２１を連続させる構造であっても構わない。
特に限定されるものではないが、例えば、遊技機島の長手方向における端部側に島上タンク２０を配する場合、このようなタンク外流路接続部を形成することが望ましい。
【０１４１】
上記した第１無底箱部材６０、第２無底箱部材６１では、速度制限板６８の４つの側面部分のうち、１つが側壁部６５と一体に連続し、他の２つがそれぞれ異なる他の側壁部６５と密着している例を示したが、本発明はこれに限るものではない。
速度制限板６８の３つの側面部分がそれぞれ異なる３つの側壁部６５と一体に連続していてもよい。また、２つの側面部分がそれぞれ異なる２つの側壁部６５と一体に連続し、他の１つの側面部分が、この２つの側壁部６５とは異なるとなる他の側壁部６５と密着していてもよい。すなわち、１以上の側面部分が側壁部６５と一体に連続していればよい。
【０１４２】
上記した第２無底箱部材６１では、速度制限板６８が連続する側壁部６５と水平方向で離間対向する位置であり、下端よりの部分に連結部７０を設けた例を示したが、本発明はこれに限るものではない。
例えば、１つの無底箱部材（又は箱部材）に速度制限板６８を２つ以上設けてもよい。具体的には、２以上の側壁部６５のそれぞれと別途連続する２以上の速度制限板６８を設けてもよい。このとき、速度制限板の突出長さや幅方向（上下方向及び突出方向と直交する方向）の長さを短くして同じ高さに配置してもよく、それぞれの配置高さが異なるように２以上の速度制限板６８を設けてもよい。
また、１つの無底箱部材（又は箱部材）に対して２以上の連結部７０を設けてもよい。例えば、離間対向する２つの側壁部６５の一方にその中心が位置するように１つの連結部７０を設け、側壁部６５の他方にその中心が位置するようにもう１つの連結部７０を設けてもよい。すなわち、左右方向（又は前後方向）で離間対向するように２つの連結部７０を設けてもよい。
このとき、連結部７０は、３つの側壁部６５（２以上の側壁部６５）に跨って延びるものでなく、１つのみの側壁部６５に形成されるものであってよい。すなわち、側壁部６５の一部に切欠き又は貫通孔を形成し、それを遊技球が流れる搬送路と連続させるための連結部としてもよい。したがって、連結部の配置高さもまた、下端近傍に限るものではなく、連結部を下端から上方に離れた位置に形成してもよい。当然のことながら、複数の側壁部６５にそれぞれ別途連結部を設ける場合、すなわち、複数の連結部を設ける場合には、それぞれの連結部の配置高さを同一の高さとしてもよく、それぞれの連結部の配置高さが異なるようにしてもよい。
【０１４３】
上記した無底箱部材（又は箱部材）は、いずれも側壁部６５が四角環状に連続する部材（略角筒状の部材）であったが、箱部材はこれに限るものではない。
例えば、側壁部が円環状に連続する部材（丸箱状であり略円筒状の部材）や、三角環状に連続する部材（三角箱状であり略三角筒状の部材）、多角環状に連続する部材（多角箱状であり略多角筒状の部材）であってもよい。
この場合、内周面のいずれかの一部から速度制限板を内側に突出させてもよく、外周面のいずれかの一部に内外を連通する切欠き又は貫通孔を形成することで連結部を設けてもよい。
【０１４４】
以上のように、本実施形態の島上タンク２０では、１又は複数個の無底箱部材によって内部貯留部４２が形成されており、内部貯留部４２を構成する無底箱部材の数を可変可能としている。
さらに、１個のみの無底箱部材又は有底箱部材、複数個の無底箱部材、１個以上の無底箱部材と１個の有底箱部材の組み合わせ、からなる構造群から選択される１の構造によりタンク外流路接続部４３が形成されている。そして、タンク外流路接続部４３を構成する無底箱部材の数や、連結部７０の配置高さ、連結部７０の開口の向きを適宜可変可能となっている。
そして、内部貯留部４２とタンク外流路接続部４３が複数の部材によって形成される場合には、これらを構成する部材を上下方向に複数個重ねて配置し、図示しない連結金具等で一体化することで形成している。
このことにより、上記したように、遊技球の貯留量を可変可能となり、連結部７０と連続する搬送路の傾斜角度等を調整可能となっている。
【０１４５】
ここで、島上タンク２０は、上記したタンク外流路接続部４３に替わって、図１９で示されるタンク外流路接続部２４３を備えた構造とすることが可能となっている。
このタンク外流路接続部２４３は、３つの第２無底箱部材６１を備えており、３つの連結部７０を有している。そして、３つの連結部７０のそれぞれが異なる方向に向かって開口している。より具体的には、最も上方に位置する連結部７０が図１９の奥側（前後方向における後方）に向かって開口しており、上から２番目に位置する連結部７０が左側に向かって開口しており、最も下方に位置する連結部７０が右側に向かって開口している。
すなわち、３つの連結部７０が、左右方向のそれぞれと、前後方向の一方に向かって開口した状態となっている。言い換えると、３つの連結部７０のそれぞれが、いずれも水平方向における異なる３方に向かって開口した状態となっている。
【０１４６】
このような島上タンク２０によると、本来であれば遊技機島１の設置領域を確保することができない遊技場（建屋）の構造物の周辺においても、遊技機島の構築が可能となる。
【０１４７】
このような遊技場の構造物の周辺に構築可能な第２実施形態の遊技機島２０１につき、各図面を参照しつつ、以下で詳細に説明する。
なお、上記した遊技機島１と同様の部分については、同じ符号を付し、詳細な説明を省略する。また、遊技機２、遊技媒体貸出機３、遊技機取付部４、データランプ１４の符号は、一部にのみ符号を付し、他への符号を省略する。
【０１４８】
本実施形態の遊技機島２０１もまた、全体の外形が略直方体状となる箱型構造物であり、図２０で示されるように、遊技機島２０１の長手方向（遊技機２の並列方向）における両端部のそれぞれに妻板２０７が位置する構造となっている。すなわち、上記した遊技機島１と同様に、２つの妻板２０７を備えており、この２つの妻板２０７が遊技機島２０１の側壁部分のうち、遊技機島２０１の長手方向の両端部にそれぞれ位置する側壁部分を形成する部材となっている。
【０１４９】
ここで、本実施形態の遊技機島２０１は、２つの小島部２０２（第１小島部２０２ａ及び第２小島部２０２ｂであり、詳しくは後述する）を備えた構造となっている。この２つの小島部２０２は、遊技機島２０１の短手方向（水平方向において遊技機２の並列方向と直交する方向）で離間した位置にそれぞれ配置されており、その間には構造物配置空間２０６が形成されている。つまり、２つの妻板２０７と２つの小島部２０２よって囲まれた部分に構造物配置空間２０６が形成されている。
【０１５０】
具体的に説明すると、２つの妻板２０７のそれぞれは、幅方向における一端側が第１小島部２０２ａの側壁を形成しており、幅方向における中央側が構造物配置空間２０６の外側に位置し、幅方向における一端側が第２小島部２０２ｂの側壁を形成した状態となっている。つまり、２つの妻板２０７のうちの一方が、離間配置される第１小島部２０２ａ及び第２小島部２０２ｂの長手方向における片側端部に位置する側壁部分を形成しており、もう一方が離間配置される第１小島部２０２ａ及び第２小島部２０２ｂの長手方向における他方側端部に位置する側壁部分を形成している。
そして、２つの妻板２０７の間に形成される空間であり、且つ、２つの小島部２０２の間に形成される空間である構造物配置空間２０６には、遊技場に付属する構造物である遊技場の柱２０５が位置した状態となっている。言い換えると、２つの妻板２０７と２つの小島部２０２によって囲繞された構造物配置空間２０６に柱２０５が位置した状態となっている。
【０１５１】
このように、本実施形態の遊技機島２０１は、遊技場の柱２０５の周辺に形成されるものであり、言い換えると、内側部分に柱２０５を配置するための空間が形成されたものとなっている。
なお、本実施形態では、遊技機島２０１の長手方向で離間した位置に２つの柱２０５がそれぞれ配置された状態となっている。
【０１５２】
小島部２０２は、いずれも２つの妻板２０７の間において、支柱や梁となる骨格部材（図示しない）に対し、天板６、幕板８、ランプ板９、台間板１０、膳板１１、腰板１２、幅木１３等の外壁面を形成する板状部材を取り付けて形成されている。すなわち、それぞれの小島部２０２は、外形が略直方体状となる箱型構造物であり、長手方向の端部に位置する側面が妻板２０７の一部によって形成され、上面及び短手方向における外側側面が各種板部材や、機器群（対となる遊技機２と遊技媒体貸出機３を組とする機器群）の列、データランプ１４によって形成されている。
【０１５３】
具体的には、上記した遊技機島１では、短手方向における両側面にそれぞれ１つずつ、計２つの機器群の列が設けられているのに対し、この小島部２０２では、短手方向における外側側面にのみ１つの機器群の列が設けられた構造となっている。言い換えると、短手方向における外側側面にのみ複数の遊技機２が並列配置された状態となっている。
【０１５４】
より詳細には、短手方向における両側端部分のうち、外側に位置する部分に機器群の列が設けられており、内側に位置する部分が構造物配置空間２０６に向かって開放された状態となっている。つまり、機器群の列から遊技機島２０１の短手方向における内側に向かって離れた位置に構造物配置空間２０６が位置している。
つまり、小島部２０２は、上記した遊技機島１と外壁部分の構築構造が略同一となっており、短手方向における一方側の側面（内側側面）を構築せず、構造物配置空間２０６に向かって開放させている点で異なるものとなっている。なお、一方の小島部２０２（第２小島部２０２ｂ）では、これに加え、島上タンク２２０（貯留タンク、上部タンク）を設けない点でも外壁部分の構築構造が異なっている。
【０１５５】
ここで、遊技機島２０１の内部構造、すなわち、２つの小島部２０２の内部構造について説明する。
第１小島部２０２ａの内部には、図２０、図２１で示されるように、島上タンク２２０、補給レール２１、オーバーフローレール２２、球抜きホース２３、オーバーフローホース２４、島中タンク２５、アウトレール２６、研磨装置２７、揚送装置２８、揚送流路２９がそれぞれ設けられている。
これに対し、第２小島部２０２ｂの内部には、図２０、図２２で示されるように、上側貯留箱２５０、補給レール２１、球抜きホース２３、アウトレール２６、下側貯留箱２６０がそれぞれ設けられている。
【０１５６】
すなわち、第１小島部２０２ａの特有の構成として、島上タンク２２０、オーバーフローレール２２、オーバーフローホース２４、島中タンク２５、アウトレール２６、研磨装置２７、揚送装置２８、揚送流路２９が設けられており、第２小島部２０２ｂの特有の構成として、上側貯留箱２５０と下側貯留箱２６０が設けられている。
このように、本実施形態の遊技機島２０１もまた、全体で研磨装置２７と揚送装置２８をそれぞれ１台ずつ備えた構造となっている。
【０１５７】
そして、図２３で示されるように、２つの小島部２０２の間には、上側小島間流路２７０（小島間搬送路）と下側小島間流路２７１（小島間搬送路）とが設けられている。
【０１５８】
島上タンク２２０は、上記した島上タンク２０と比べ、溢出球貯留空間７４を１つのみ設けた構造である点と、揚送流路２９を１つのみ連結させた構造である点と、上記したタンク外流路接続部４３（図１０参照）に替わって、水平方向における異なる３方に向かって開口した３つの連結部７０を備えたタンク外流路接続部２４３（図１９参照）を採用した構造である点が異なっている。
【０１５９】
すなわち、この島上タンク２２０では、内部貯留部４２を左右方向の一方側（右側）に偏在するように配置し、溢出球貯留空間７４を左右方向における他方側にのみ形成し、この１つの溢出球貯留空間７４にオーバーフローレール２２を連結させた構造となっている。
【０１６０】
これに加え、本実施形態では、外箱部４０の４つの側壁部４８うち、手前側の側壁部４８にのみ揚送流路２９を固定した構造となっている。すなわち、上記した島上タンク２０では、前後方向で離間対向する２つの側壁部４８のそれぞれに対し、異なる２つの揚送流路２９の上端部分のそれぞれを別途固定した。これに対し、本実施形態の遊技機島２０１では奥側の揚送流路２９を設けず、手前側の側壁部４８に対してのみ揚送流路２９の上端部分を固定している。
【０１６１】
そして、この島上タンク２２０は、３つの連結部７０のそれぞれに搬送路を形成するための部材である２つの補給レール２１と、上側小島間流路２７０を連結させている。このことにより、島上タンク２２０は、水平方向において異なる３方に向かって延びた遊技球の搬送路が連結された状態となっている。
【０１６２】
補給レール２１は、上記したものと同様に、各遊技機２に向かって遊技球を搬送する搬送路を形成する部材である。
第１小島部２０２ａでは、図２１で示されるように、島上タンク２２０が位置する部分、すなわち、第１小島部２０２ａの長手方向（遊技機島２０１の長手方向）における略中心近傍であり、且つ、第１小島部２０２ａの上端よりの部分から、第１小島部２０２ａの長手方向の端部に向かって下り勾配となるように設けられている。
【０１６３】
より詳細には、第１小島部２０２ａでは、２つの補給レール２１が設けられており、一方が遊技機島１の長手方向における一方端側へ向かって延びており、他方が遊技機島１の長手方向における他方端側へ向かって延びている。このとき、２つの補給レール２１の上端部分は、いずれもタンク外流路接続部２４３の連結部７０に接続された状態となっている。
すなわち、一方の補給レール２１の上端部分は、タンク外流路接続部２４３の３つの連結部７０のうちの一つであり、左側に向かって開口した連結部７０と連結された状態となっている。これに対して、もう一方の補給レール２１の上端部分は、タンク外流路接続部２４３の連結部７０のうちの他の一つであり、右側に向かって開口した連結部７０と連結された状態となっている。
つまり、２つの補給レール２１の上端部分のそれぞれは、左右方向のそれぞれに向かって別途開口した２つの異なる連結部７０のそれぞれと、別途連結された状態となっている。
【０１６４】
このとき、左右方向のそれぞれに向かって別途開口した２つの異なる連結部７０は、一方の連結部７０が他方の連結部７０よりも高位置に配されている。
このことから、一方の補給レール２１（図２１における左側）の上端部分が、他方（図２１における右側）の補給レール２１の上端部分よりも上方に位置した状態となっている。
【０１６５】
第２小島部２０２ｂの補給レール２１は、図２２で示されるように、上側貯留箱２５０が位置する部分から、第２小島部２０２ｂの長手方向の端部に向かって下り勾配となるように設けられている。すなわち、第２小島部２０２ｂの長手方向（遊技機島２０１の長手方向）における略中心近傍であり、且つ、第２小島部２０２ｂの上端よりの部分から、第２小島部２０２ｂの長手方向の端部に向かって延びている。
より詳細には、第２小島部２０２ｂでは、２つの補給レール２１が設けられており、一方が遊技機島２０１の長手方向における一方端側へ向かって延びており、他方が遊技機島２０１の長手方向における他方端側へ向かって延びている。このとき、２つの補給レール２１の上端部分は、いずれも上側貯留箱２５０の流出側レール連結部２５４（詳しくは後述する）に連結されており、同じ高さとなるように配置されている。言い換えると、第２小島部２０２ｂでは、２つの補給レール２１の上端部分の高さ、搬送方向の長さ、傾斜角度が同一（略同一）となっている。
【０１６６】
オーバーフローレール２２は、図２１で示されるように、第１小島部２０２ａに設けられた２つの補給レール２１のうち、一方の補給レール２１から上方に離れた位置に設けられている。そして、その上端部分が島上タンク２２０の溢出球貯留空間７４に連結されており、下方に位置する補給レール２１と同様に、島上タンク２２０が位置する部分から遊技機島２０１の長手方向の端部に向かって下り勾配となっている。
本実施形態の遊技機島２０１では、２つの小島部２０２のうちの一方である第１小島部２０２ａにのみ、１つのオーバーフローレール２２を設ける構造となっている。すなわち、第１小島部２０２ａの長手方向における略中心となる部分と片側端部の間にのみオーバーフローレール２２が設けられ、長手方向における略中心となる部分と他方側端部の間には、オーバーフローレール２２を設けない構造となっている。
【０１６７】
球抜きホース２３は、第１小島部２０２ａでは、上記した遊技機島１と同様に、上流端部分が補給レール２１の下流端に接続され、下流端部分が島中タンク２５に接続された状態となっている（図２１参照）。対して、第２小島部２０２ｂでは、図２２で示されるように、上流端部分が補給レール２１の下流端に接続され、下流端部分がアウトレール２６の上流端側に接続された状態となっている。
【０１６８】
オーバーフローホース２４は、上記した遊技機島１と同様に、その上流端部分がオーバーフローレール２２の下流端近傍に接続され、下流端部分が島中タンク２５に接続された状態となっている（図２１参照）。言い換えると、オーバーフローレール２２の下流側部分と島中タンク２５の間で上下方向に延びている。
本実施形態の遊技機島２０１では、２つの小島部２０２のうちの一方である第１小島部２０２ａにのみ、１つのオーバーフローホース２４を設ける構造となっている。
【０１６９】
島中タンク２５は、上記した遊技機島１のものと同様のものであり、本実施形態の遊技機島２０１では、２つの小島部２０２のうちの一方である第１小島部２０２ａにのみ設けられている（図２１参照）。
より詳細には、第１小島部２０２ａにおいて、遊技機２よりも下方側に位置する下端側の部分であって、遊技機島２０１の長手方向における片側端部と隣接する位置と、他方側端部と隣接する位置のそれぞれに島中タンク２５が配置された状態となっている。
【０１７０】
アウトレール２６は、上記したものと同様であり、遊技機２よりも下方側に配され、遊技機２又は島中タンク２５から排出される遊技球を所定位置に向かって流動させるための搬送路を形成する部材である。
第１小島部２０２ａでは、図２１で示されるように、２つのアウトレール２６が設けられており、一方が遊技機島２０１の長手方向における一方端から中央に位置する研磨装置２７へと向かって延びており、もう一方が遊技機島２０１の長手方向における他方端から中央に位置する研磨装置２７へと向かって延びている。すなわち、上流端となる遊技機島２０１の長手方向における端部が最も高位置に配され、研磨装置２７側へ向かって下り勾配となるように設置されている。
ここで、第１小島部２０２ａの２つのアウトレール２６のそれぞれの上流端側部分は、いずれも島中タンク２５に連結された状態となっており、島中タンク２５に一時的に貯留された遊技球を上流端側から流入させることが可能となっている。また、これに加え、上方に位置する遊技機２から排出された遊技球を受け止め、下流側へと流すことも可能となっている。
【０１７１】
第２小島部２０２ｂでは、図２２で示されるように、２つのアウトレール２６が設けられており、一方が遊技機島２０１の長手方向における一方端から中央に位置する下側貯留箱２６０へと向かって延びており、もう一方が遊技機島２０１の長手方向における他方端から中央に位置する下側貯留箱２６０へと向かって延びている。すなわち、この第２小島部２０２ｂのアウトレール２６もまた、上流端となる遊技機島２０１の長手方向における端部が最も高位置に配され、下側貯留箱２６０側へ向かって下り勾配となるように設置されている。
ここで、第２小島部２０２ｂの２つのアウトレール２６のそれぞれの下流端側部分は、いずれも下側貯留箱２６０の流入側レール連結部２６４（詳しくは後述する）に連結されており、アウトレール２６の下端側部分から下側貯留箱２６０の内部に遊技球を直接流入させることが可能となっている。
【０１７２】
研磨装置２７、揚送装置２８、揚送流路２９は、いずれも上記した遊技機島１のものと同様のものであり、本実施形態の遊技機島２０１では、２つの小島部２０２のうちの一方である第１小島部２０２ａにのみ設けられている。
より詳細には、研磨装置２７は、第１小島部２０２ａの長手方向（遊技機島２０１の長手方向）の略中央となる部分の下部に配されており、揚送装置２８は、この研磨装置２７と隣接する位置に配されている。そして、揚送装置２８に揚送流路２９が連結された状態となっている。
なお、上記したように、第１実施形態の遊技機島１において２つの揚送流路２９を設けたのに対し、本実施形態の遊技機島２０１では、第１小島部２０２ａの外側よりの位置に１つのみ揚送流路２９を設けた構造となっている。
【０１７３】
上側貯留箱２５０は、２つの小島部２０２のうちの他方である第２小島部２０２ｂにのみ設けられた部材である。
具体的には、図２４で示されるように、上方が開放された有底箱状の部材であり、四角環状に連続する４つの側壁部２５１と、４つの側壁部２５１によって囲まれた空間の下方側部分を閉塞する底板形成部２５２とを備えた構造となっている。
【０１７４】
４つの側壁部２５１は、いずれも直立した姿勢の長方形平板状となっている。
４つの側壁部２５１のうち、一の側壁部２５１には、その幅方向（上下方向及び厚さ方向と直交する方向）に中心側であり、上端部分に流入側レール連結部２５３が設けられている。
【０１７５】
流入側レール連結部２５３は、側壁部２５１の上端から下方に延びた切欠き部分であり、正面視した形状（厚さ方向における一方側からみた形状）が四角形状となる切欠き部分を有している。そして、この切欠き部分そのもの又は、切欠き部分とその周辺部分が外部のレール部材（遊技球の搬送路を形成する部材）を連結するための流入側レール連結部２５３として機能する。
なお、本実施形態では、流入側レール連結部２５３を上端から下方に延びる切欠き部分を有する構造としたが、側壁部２５１の上端よりやや下方に貫通孔を形成してもよい。
【０１７６】
ここで、流入側レール連結部２５３が形成された側壁部２５１は、その幅方向の両端部分が他の２つの側壁部２５１の略直交した状態で連続している。
そして、この他の２つの側壁部２５１、すなわち、左右方向で離間対向する２つの側壁部２５１の下端部分には、流出側レール連結部２５４がそれぞれ形成されている。
【０１７７】
流出側レール連結部２５４は、側壁部２５１の下端から上方に延びた切欠き部分であり、側面視した形状（厚さ方向における一方側からみた形状）が四角形状となる切欠き部分を有している。そして、この切欠き部分そのもの又は、切欠き部分とその周辺部分が外部のレール部材（遊技球の搬送路を形成する部材）を連結するための流出側レール連結部２５４として機能する。
なお、本実施形態では、流出側レール連結部２５４を下端から上方に延びる切欠き部分を有する構造としたが、側壁部２５１の下端よりやや上方に貫通孔を形成してもよい。
【０１７８】
底板形成部２５２は、その左右方向における中心部分が最も高位置となるように折曲がった形状の板状部材であり（又はそのような板状部材を有する構造であり）、その上面に２つの傾斜面が形成されている。
具体的に説明すると、この２つの傾斜面は、流入側レール連結部２５３が形成された側壁部２５１と、これと離間対向する他の一の側壁部２５１の対向方向に延びた稜線から傾斜する傾斜面となっている。そして、この２つの傾斜面は、いずれも左右方向の端部側に向かって下り勾配となる傾斜面であり、その下端部分が流出側レール連結部２５４と連続した状態となっている。
【０１７９】
このことから、流入側レール連結部２５３から上側貯留箱２５０の内部に流入した遊技球は、底板形成部２５２に形成された傾斜面の上を転がった後、傾斜面の下流端近傍に位置する流出側レール連結部２５４を介して外部へと流出することとなる。
【０１８０】
下側貯留箱２６０は、２つの小島部２０２のうちの他方である第２小島部２０２ｂにのみ設けられた部材である。
具体的には、図２５で示されるように、上方が開放された有底箱状の部材であり、４つの側壁部２６１と、４つの側壁部２６１によって囲まれた空間の下方側部分を閉塞する底板形成部２６２とを備えた構造となっている。
【０１８１】
４つの側壁部２６１は、正面視した形状（厚さ方向における一方側からみた形状）が略「Ｔ」字状となる２つの側壁部２６１ａと、側面視した形状（厚さ方向における一方側からみた形状）が略「凹」字状となる２つの側壁部２６１ｂを備えている。これら４つの側壁部２６１は、いずれも直立した姿勢の板状の部材となっている。
【０１８２】
ここで、図２５において手前側に位置する側壁部２６１ａには、その幅方向（左右方向）における中心であり、下端近傍に位置する部分に流出側レール連結部２６３が設けられている。
【０１８３】
流出側レール連結部２６３は、側壁部２６１ａを貫通する貫通孔であり、その開口形状が四角形状となる貫通孔を有している。すなわち、正面視した形状（厚さ方向における一方側からみた形状）が四角形状となる貫通孔を有する構造となっている。そして、この貫通孔そのもの又は、貫通孔とその周辺部分が外部のレール部材（遊技球の搬送路を形成する部材）を連結するための流出側レール連結部２６３として機能する。言い換えると、この流出側レール連結部２６３は、下側貯留箱２６０の内部（後述する中心側凹部２６２ａの内側空間）と外部を連通する貫通孔を有した構造となっている。
なお、本実施形態の流出側レール連結部２６３は、側壁部２６１ａを貫通する貫通孔を有する構造としたが、これに替わって下端から上方に延びる切欠き部分を有する構造としてもよい。
【０１８４】
また、流出側レール連結部２６３が設けられた側壁部２６１ａの幅方向における両端部分のそれぞれは、他の２つの側壁部２６１ｂのそれぞれと略直交した状態で連続している。
ここで、この他の２つの側壁部２６１ｂのそれぞれには、幅方向（上下方向及び）における略中心側の部分であり、上端側に位置する部分に、流入側レール連結部２６４が設けられている。
【０１８５】
流入側レール連結部２６４は、側壁部２６１ｂの上端から下方に延びた切欠き状の部分を有しており、この切欠き状の部分は、側面視した形状（側壁部２６１ｂの厚さ方向における一方側からみた形状）が四角形状となっている。そして、この切欠き状の部分そのもの又は、切欠き状の部分とその周辺部分が外部のレール部材（遊技球の搬送路を形成する部材）を連結するための流入側レール連結部２６４として機能する。
【０１８６】
底板形成部２６２は、左右方向における中心側に位置する中心側凹部２６２ａと、左右方向の一方端側と他方端側にそれぞれ位置する２つの底側傾斜部２６２ｂとを備えた構造となっている。すなわち、２つの底側傾斜部２６２ｂの間に中心側凹部２６２ａが位置しており、これらが一体に連続することで底板形成部２６２を形成している。
【０１８７】
中心側凹部２６２ａは、下側貯留箱２６０の底部分の一部であり、底部分のうちで周囲よりも下方に向かって凸となるように窪んだ部分を形成している。より具体的には、左右方向で離間対向する２つの立壁状部分と、この２つの立壁状部分の下端同士の間に位置する底板状部分と備えており、これらが一体に連続して形成された部分なっている。
【０１８８】
底側傾斜部２６２ｂは、その上面に、側壁部２６１ｂの下端側部分から左右方向における中心側に向かって延び、左右方向における中心側に向かうにつれて高さが低くなる傾斜面が形成されている。そして、この傾斜面の下端部分は、中心側凹部２６２ａの立壁状部分の上端部分と連続した状態となっている。
【０１８９】
このことから、流入側レール連結部２６４から下側貯留箱２６０の内部に流入した遊技球は、底側傾斜部２６２ｂの傾斜面を転がり、中心側凹部２６２ａへと流入する。そして、流出側レール連結部２６３を介して外部へ流出することとなる。
【０１９０】
上側小島間流路２７０は、図２３で示されるように、第１小島部２０２ａの内部から第２小島部２０２ｂの内部まで、２つの小島部２０２の間に跨って延びる遊技球の搬送路を形成するための部材である。すなわち、この上側小島間流路２７０は、遊技球を水平方向（遊技機島２０１の短手方向であり、図２３では左右方向）に搬送するための搬送路を形成している。
より具体的には、上側小島間流路２７０の上流端部分は、タンク外流路接続部２４３の３つの連結部７０（図１９等参照）のうち、構造物配置空間２０６が位置する方向（遊技機島２０１の短手方向における内側）に向かって開口する連結部７０、すなわち、最も上方に位置する連結部７０と連結された状態となっている。そして、上側小島間流路２７０の下流端部分は、上側貯留箱２５０の流入側レール連結部２５３と連結された状態となっている。
【０１９１】
ここで、上側小島間流路２７０の上流端部分は、下流端部分よりも高位置に配された状態となっており、上側小島間流路２７０は、下流側に向かって下り勾配となるように設けられている。
【０１９２】
下側小島間流路２７１は、図２３で示されるように、第２小島部２０２ｂの内部から第１小島部２０２ａの内部まで、２つの小島部２０２の間に跨って延びる遊技球の搬送路を形成するための部材である。すなわち、この下側小島間流路２７１は、遊技球を水平方向（遊技機島２０１の短手方向であり、図２３では左右方向）に搬送するための搬送路を形成している。
より具体的には、下側小島間流路２７１の上流端部分は、下側貯留箱２６０の流出側レール連結部２６３と連結された状態となっている。そして、下側小島間流路２７１は、第１小島部２０２ａに内蔵された研磨装置２７（図２３では図示しない、図２１等参照）に向かって延びている。
【０１９３】
ここで、下側小島間流路２７１の上流端部分もまた、下流端部分よりも高位置に配された状態となっている。すなわち、下側小島間流路２７１は、下流側に向かって下り勾配となるように設けられている。
【０１９４】
続いて、本実施形態の遊技機島２０１において、内部で遊技球を循環させる際の遊技球の流れについて、図２１、図２２、図２３等を参照しつつ詳細に説明する。
【０１９５】
本実施形態の遊技機島２０１では、上記した各流路及び各機器を内部に備えることにより、２つの小島部２０２のそれぞれに配置された遊技機２から排出された遊技球の回収や、２つの小島部２０２のそれぞれに配置された遊技機２や遊技媒体貸出機３への遊技球の供給が可能となっている。
【０１９６】
まず、第１小島部２０２ａにおいて遊技機２から排出された遊技球は、直接又は島中タンク２５の内部を経て、アウトレール２６に導入される構造となっている（図２１参照）。このとき、アウトレール２６を下端まで流れた遊技球は、研磨装置２７に流入し、研磨装置２７で研磨された後、揚送装置２８に流入する。
【０１９７】
対して、第２小島部２０２ｂにおいて、遊技機２から排出された遊技球は、アウトレール２６に導入され、アウトレール２６を下端まで流れた後、下側貯留箱２６０へと流入する（図２２参照）。そして、下側貯留箱２６０から下側小島間流路２７１へと流入し、その後に、下側小島間流路２７１から研磨装置２７の内部へ流入する（図２１、図２３等参照）。その後は、上記と同様に、研磨装置２７で研磨された後、揚送装置２８に流入する。
以上のように、第１小島部２０２ａと第２小島部２０２ｂのそれぞれに配置された遊技機２から排出された遊技球は、いずれも第１小島部２０２ａに内蔵された研磨装置２７に流入することとなる。言い換えると、２つの小島部２０２のそれぞれに属する遊技機２から排出された遊技球は、全て片側の小島部２０２（第１小島部２０２ａ）の内部となる研磨装置２７が位置する部分へと集められることとなる。
【０１９８】
続いて、揚送装置２８の内部に流入した遊技球は、揚送装置２８によって上側へ向かう力を付与されつつ揚送流路２９に流入され、揚送流路２９の上端側から島上タンク２２０のタンク本体２３６へ流入することとなる。そして、タンク本体２３６に一時的に貯留された遊技球は、タンク外流路接続部２４３と連結された搬送路へと流入することとなる。すなわち、第１小島部２０２ａの２つの補給レール２１や、第１小島部２０２ａと第２小島部２０２ｂの間に位置する上側小島間流路２７０（図２１、図２３等参照）へと流入することとなる
【０１９９】
そして、第１小島部２０２ａでは、２つの補給レール２１を介してそれぞれの遊技機２や遊技媒体貸出機３へ遊技球が供給されることとなる。
【０２００】
これに対して、上側小島間流路２７０へ流入した遊技球は、上側小島間流路２７０の下流端から上側貯留箱２５０へと流入する（図２３参照）。すなわち、上側小島間流路２７０を介して第２小島部２０２ｂの上側貯留箱２５０へと供給されることとなる。
【０２０１】
そして、第２小島部２０２ｂでは、上側貯留箱２５０から２つの補給レール２１のそれぞれに遊技球が流入し、これら補給レール２１を介してそれぞれの遊技機２や遊技媒体貸出機３へ遊技球が供給されることとなる。
【０２０２】
このように、遊技機島２０１の内部では、２つの小島部２０２に跨って延びる循環経路が形成されており、この循環経路によって、それぞれの小島部２０２に配置された遊技機２を経て遊技球を循環させることが可能となっている。
【０２０３】
なお、本実施形態においても揚送流路２９から島上タンク２２０に遊技球を流入させる際、島上タンク２２０の貯留可能量を超える量の遊技球が流入してしまう場合がある。そこで、本実施形態においても、島上タンク２２０の貯留量が一定以上となった場合、過剰分の遊技球をオーバーフローレール２２、オーバーフローホース２４を介して島中タンク２５の内部に導入させる構造となっている。
【０２０４】
上記した第２実施形態の遊技機島２０１では、下側貯留箱２６０の中心側凹部２６２ａを２つの立壁状部分と、これらの下端同士の間に位置する底板状部分により形成する例を示した（図２５参照）。すなわち、中心側凹部２６２ａの底部分の上面が平面となるように形成した例を示したが、本発明はこれに限るものではない。
例えば、中心側凹部２６２ａの底部分の上面が、流出側レール連結部２６３に向かって下り勾配となるように傾斜面としてもよい。すなわち、下端部分が流出側レール連結部２６３と連続する傾斜面となるように形成してもよい。
【０２０５】
上記した第２実施形態の遊技機島２０１では、有底箱状の上側貯留箱２５０と下側貯留箱２６０を採用した例を示したが、本発明はこれに限るものではない。第２小島部２０２ｂに対し、これらに替わって受皿状部材を備えた構造であってもよい。すなわち、多くの遊技球を一時的に貯留可能なものでなく、各搬送路の下流端から流出する遊技球を受け止めた後、そのまま即座に外部に流出させるものであってもよい。
しかしながら、一時的に多量の遊技球が流れ込んでしまった場合において溢れ出しを防止するという観点から、一時的に一定量の遊技球を貯留可能な箱状のものがより好ましい。
【０２０６】
上記した第２実施形態の遊技機島２０１では、妻板２０７が遊技機島２０１の長手方向の端部に位置し、外形が略直方体状である遊技機島２０１の短寸の側面を形成する例を示したが、本発明はこれに限るものではない。
例えば、配置する遊技機２の数を少なくした場合（小島部２０２を遊技機２の並列方向で短くした場合）や、２つの小島部２０２の離間距離を長くする必要がある場合（遊技場の構造物の同方向の寸法が長いものである場合）等、妻板２０７の幅方向の長さが、遊技機島２０１の遊技機２の並列方向の長さよりも長くなってもよい。すなわち、妻板２０７が遊技機島２０１の短手方向の端部に位置し、長寸の側面を形成する構造であっても構わない。
【０２０７】
上記した第２実施形態では、遊技場で間隔を空けて並列する２つの柱２０５が内側に設けた構造物配置空間２０６に位置するように遊技機島２０１を構築する例について説明したが、本発明はこれに限るものではない。
構造物配置空間２０６に位置させる遊技場の構造物は、柱２０５だけではなく、例えば、遊技場の壁面の一部が内側に向かって突出したような壁面の隆起部分であってもよい。この場合、例えば、２つの妻板２０７の一方を設けず、一の側端部分を外部に開放させた状態とし、この外部に開放された側端部分を壁面に密着させ、構造物配置空間に壁面の隆起部分を位置させてもよい。
すなわち、構造物配置空間２０６に位置させる遊技場の構造物は、柱２０５に限らず、遊技場の建築構造上移動させることができない他の構造物であってもよい。
【０２０８】
また、構造物配置空間２０６は、４方が小島部、妻板によって囲まれた空間でなくてもよく、上記のように、小島部２０２や妻板２０７によって３方が囲まれた空間であってもよい。すなわち、構造物配置空間は、周囲の３方に小島部、妻板が位置し、他の１方に遊技場の壁面が位置する空間、つまり、小島部、妻板、遊技場の壁面によって囲まれた空間であってもよい。
【０２０９】
また、上記した第２実施形態では、構造物配置空間２０６に２つの柱２０５を配する例を示したが、当然のことながらこれに限らず、構造物配置空間２０６に３以上の柱２０５が位置してもよく、１つのみの柱２０５が位置してもよい。
【０２１０】
上記した第２実施形態では、構造物配置空間２０６に２つの柱２０５の間に上側小島間流路２７０、下側小島間流路２７１が位置する例について説明したが、本発明はこれに限るものではない。
例えば、構造物配置空間２０６のうち、２つの柱２０５の並列方向において、一方の柱２０５の外側に位置する部分に、上側小島間流路２７０、下側小島間流路２７１を配する構成としてもよい。
具体的には、島上タンク２２０を第１小島部２０２ａの長手方向における端部側に配し、それに伴い、研磨装置２７、揚送装置２８、揚送流路２９もまた、第１小島２０２の長手方向における端部側に配する。このとき、第２小島部２０２ｂの上側貯留箱２５０、下側貯留箱２６０もまた、第２小島部２０２ｂの長手方向における端部側に配した状態とし、一方の柱２０５の外側（２つの柱２０５の並列方向における外側）に位置する部分に、上側小島間流路２７０、下側小島間流路２７１を配する。なお、この場合、補給レール２１、オーバーフローレール２２は、小島部２０２の長手方向における一端側から他端側に向かって延びた状態に配し、アウトレール２６は、小島部２０２の長手方向における他端側から一端側に向かって延びた状態に配してもよい。
【符号の説明】
【０２１１】
１，１０１，２０１    遊技機島
２    遊技機
２０，１２０，２２０    島上タンク（貯留タンク、上部タンク）
２１    補給レール（外部部材，供給用搬送路）
４０    外箱部
４２    内部貯留部（貯留部）
４３，１４３，２４３    タンク外流路接続部（搬送路接続部）
６０    第１無底箱部材（箱状体、第１箱状体）
６１    第２無底箱部材（箱状体、第２箱状体）
６２    第３無底箱部材（箱状体、第１箱状体）
６５    側壁部
６６    内部空間
６８    速度制限板
７０    連結部（流出口）
７４，１７４    溢出媒体貯留空間
２０２    小島部
２７０    上側小島間流路（小島間搬送路）
２７１    下側小島間流路（小島間搬送路）
【図１】
0006755690.tif 000002
【図２】
0006755690.tif 000003
【図３】
0006755690.tif 000004
【図４】
0006755690.tif 000005
【図５】
0006755690.tif 000006
【図６】
0006755690.tif 000007
【図７】
0006755690.tif 000008
【図８】
0006755690.tif 000009
【図９】
0006755690.tif 000010
【図１０】
0006755690.tif 000011
【図１１】
0006755690.tif 000012
【図１２】
0006755690.tif 000013
【図１３】
0006755690.tif 000014
【図１４】
0006755690.tif 000015
【図１５】
0006755690.tif 000016
【図１６】
0006755690.tif 000017
【図１７】
0006755690.tif 000018
【図１８】
0006755690.tif 000019
【図１９】
0006755690.tif 000020
【図２０】
0006755690.tif 000021
【図２１】
0006755690.tif 000022
【図２２】
0006755690.tif 000023
【図２３】
0006755690.tif 000024
【図２４】
0006755690.tif 000025
【図２５】
0006755690.tif 000026